(57)【要約】【課題】電力線の長さや分岐等の配線態様にかかわらず情報信号の波形歪みの変動を簡易に抑制し得るインピーダンスアダプタおよび終端装置を提供する。【解決手段】インピーダンスアダプタ２０は、電力線Ｌに接続可能な電力端子Ｌ１と、電力線Ｎに接続可能な電力端子Ｎ１と、電力端子Ｌ１に接続されＰＬＣ装置７０に電力の供給および情報信号ＩＳの送信または受信を可能な電力端子Ｌ３と、電力端子Ｎ１に接続されＰＬＣ装置７０に電力の供給および情報信号の送信または受信を可能な電力端子Ｎ２と、アース線Ｇに接続可能なアース端子Ｇ１と、アース端子Ｇ１に接続されてＰＬＣ装置７０にアース電位を付与可能なアース端子Ｇ２と、「電力端子Ｌ１，Ｌ２とアース端子Ｇ１，Ｇ２との間に接続されるインピーダンス部Ｚ１」および「電力端子Ｎ１，Ｎ２とアース端子Ｇ１，Ｇ２との間に接続されるインピーダンス部Ｚ２」の少なくとも一方と、から構成される。【選択図】図１
2008178058.tif 000002
【特許請求の範囲】
【請求項１】
交流電力を供給可能な２本一対の電力線およびこれらの電力線に対し基準電位を与える基準電位線を有する電力ケーブルと、この電力ケーブルを伝送媒体にして情報信号を送信または受信する電子装置と、の間で、前記電力線から受電する電力を前記電子装置に供給可能かつ、前記電子装置から送信される情報信号を前記電力ケーブルに伝送可能もしくは前記電力ケーブルから受信する情報信号を前記電子装置に伝送可能に介在するインピーダンスアダプタであって、
前記電力線の一方に接続可能な第１の電力端子と、
前記電力線の他方に接続可能な第２の電力端子と、
前記第１の電力端子に接続され前記電子装置に前記電力の供給および前記情報信号の送信または受信を可能な第３の電力端子と、
前記第２の電力端子に接続され前記電子装置に前記電力の供給および前記情報信号の送信または受信を可能な第４の電力端子と、
前記基準電位線に接続可能な第１の基準端子と、
前記第１の基準端子に接続されて前記電子装置に前記基準電位を付与可能な第２の基準端子と、
「前記第１の電力端子または前記第３の電力端子」と「前記第１の基準端子または前記第２の基準端子」との間に接続される第１のインピーダンス部、および、「前記第２の電力端子または前記第４の電力端子」と「前記第１の基準端子または前記第２の基準端子」との間に接続される第２のインピーダンス部、の少なくとも一方と、
を備え、
前記第１のインピーダンス部および前記第２のインピーダンス部は、前記交流電力の周波数以上前記情報信号のフレーム周波数以下に設定される所定周波数ｆにおける分岐のない前記２本一対の電力線の特性インピーダンスにほぼ等しく設定される抵抗Ｒと、１／（２πｆＲ）より大きな値を有するコンデンサＣと、を直列に接続して構成されることを特徴とするインピーダンスアダプタ。
【請求項２】
前記抵抗Ｒおよび前記コンデンサＣが直列に接続される前記第１のインピーダンス部および前記第２のインピーダンス部は、前記コンデンサＣに接続されていない抵抗Ｒ側の一端が「前記第１の基準端子または前記第２の基準端子」に接続され、また前記抵抗Ｒに接続されていないコンデンサＣ側の他端が「前記第１の電力端子もしくは前記第３の電力端子」または「前記第２の電力端子もしくは前記第４の電力端子」に接続されることを特徴とする請求項１記載のインピーダンスアダプタ。
【請求項３】
交流電力を供給可能な２本一対の電力線およびこれらの電力線に対し基準電位を与える基準電位線を有する電力ケーブルで情報信号を伝送する媒体として機能可能な電力ケーブルに接続される終端装置であって、
前記電力線の一方に接続可能な第１の電力端子と、
前記電力線の他方に接続可能な第２の電力端子と、
前記基準電位線に接続可能な基準端子と、
前記第１の電力端子と前記基準端子との間に接続される第１のインピーダンス部、および、前記第２の電力端子と前記基準端子との間に接続される第２のインピーダンス部、の少なくとも一方と、
を備え、
前記第１のインピーダンス部および前記第２のインピーダンス部は、前記交流電力の周波数以上前記情報信号のフレーム周波数以下に設定される所定周波数ｆにおける分岐のない前記２本一対の電力線の特性インピーダンスにほぼ等しく設定される抵抗Ｒと、１／（２πｆＲ）より大きな値を有するコンデンサＣと、を直列に接続して構成されることを特徴とする終端装置。
【請求項４】
直列に接続される前記抵抗Ｒおよび前記コンデンサＣは、その抵抗Ｒ側の一端が前記第１の基準端子に接続され、またそのコンデンサＣ側の他端が前記第１の電力端子または前記第２の電力端子に接続されることを特徴とする請求項３記載の終端装置。
【発明の詳細な説明】
【技術分野】
【０００１】
本発明は、交流電力を供給する電力線を伝送線路として利用する通信（以下「電力線搬送通信」または「ＰＬＣ」という(ＰＬＣ;Power Line Communications)）に関する。
【背景技術】
【０００２】
ＰＬＣが実用化されつつあるなか、交流電力を供給可能な２本一対の電力線およびこれらの電力線に対し基準電位を与える基準電位線（例えばアース線）を有する電力ケーブルと、この電力ケーブルを伝送線路として通信を行う電子装置との間に介在する装置として、例えば、下記特許文献１に開示される「電力線搬送通信用アダプタ」や、このような電力ケーブルに接続される終端装置として、下記特許文献２に開示される「電力線搬送通信用終端装置」がある。
【０００３】
特許文献１の「電力線搬送通信用アダプタ」では、２本の電力線の間にインピーダンス要素としてコンデンサを接続することによって、直流的には接続されることのない両者間の結合を強くすることで、伝送路の減衰特性を向上させるため、通信品質の劣化の少ない電力線搬送通信を実現可能にし得るとしている（特許文献１；段落００１０等）。
【０００４】
また、特許文献２の「電力線搬送通信用終端装置」では、屋内電力線の受電端となるコンセントに電力線搬送通信の周波数における特性インピーダンスに等しいインピーダンスを接続することで、屋内電力線の終端部における通信信号の反射・減衰を簡単に防止し得るとしている（特許文献２；段落０００５等）。
【特許文献１】特開２００５−３３３２２３号公報
【特許文献２】特開２００３−２６４４８６号公報
【発明の開示】
【発明が解決しようとする課題】
【０００５】
ところで、１本の電力ケーブル（例えばキャブタイヤーケーブル (Cabtire Cable)）の途中に複数のコンセントが設けられている場合、それぞれのコンセントから見える電力線のインピーダンスは、一様に定まるものではなく、後述するように、そのコンセントの位置によって変動する（例えば図１６に示す基点Ｏからコンセント１０２ｂ等までの距離や伝送される信号の周波数により、図１７(A) 〜図１７(C) に示すように変動する）。
【０００６】
そして、屋内配線される電力線は、一般に、建物や家屋の規模や形式あるいは様式といった様々な要因により、その長さが異なることは勿論、多種多様に分岐していることから、実際に配線された電力線のインピーダンスは、コンセントの位置によって複雑な分布をしているという実状がある。
【０００７】
このため、それぞれの建物ごとに、または屋内配線ごとに、コンデンサや抵抗等の値をチューニングする等のカスタマイズを個々に行って「電力線搬送通信アダプタ」（特許文献１）や「電力線搬送通信用終端装置」（特許文献２）を提供するといった個別対応は、実用上極めて難しいという問題がある。
【０００８】
また、「電力線搬送通信アダプタ」（特許文献１）や「電力線搬送通信用終端装置」（特許文献２）において、そのようなカスタマイズが可能であったとしても、例えばコンセントに延長コード等の電源ケーブルが接続された場合には、それによってもインピーダンスが影響を受けて変動し得るため、前述したような折角のカスタマイズもこのような場合には、技術的に意義を失ってしまうという問題がある。
【０００９】
その一方で、このように多種多様化した配線態様が存在するなか、電力線を伝送線路とする信号波形にある程度の歪みがあっても、その波形歪みにあまり変動がなく、受信側において予期可能な範囲内のものであれば、歪んだ信号波形から情報信号を取り出す、つまり復調（または復号）することも、現在の信号処理技術であれば十分に可能である。
【００１０】
本発明は、上述した課題を解決するためになされたものであり、その目的とするところは、電力線の長さや分岐等の配線態様にかかわらず情報信号の波形歪みの変動を簡易に抑制し得るインピーダンスアダプタおよび終端装置を提供することにある。
【課題を解決するための手段】
【００１１】
上記目的を達成するため、特許請求の範囲に記載の請求項１のインピーダンスアダプタでは、交流電力を供給可能な２本一対の電力線およびこれらの電力線に対し基準電位を与える基準電位線を有する電力ケーブルと、この電力ケーブルを伝送媒体にして情報信号を送信または受信する電子装置と、の間で、前記電力線から受電する電力を前記電子装置に供給可能かつ、前記電子装置から送信される情報信号を前記電力ケーブルに伝送可能もしくは前記電力ケーブルから受信する情報信号を前記電子装置に伝送可能に介在するインピーダンスアダプタであって、前記電力線の一方に接続可能な第１の電力端子と、前記電力線の他方に接続可能な第２の電力端子と、前記第１の電力端子に接続され前記電子装置に前記電力の供給および前記情報信号の送信または受信を可能な第３の電力端子と、前記第２の電力端子に接続され前記電子装置に前記電力の供給および前記情報信号の送信または受信を可能な第４の電力端子と、前記基準電位線に接続可能な第１の基準端子と、前記第１の基準端子に接続されて前記電子装置に前記基準電位を付与可能な第２の基準端子と、「前記第１の電力端子または前記第３の電力端子」と「前記第１の基準端子または前記第２の基準端子」との間に接続される第１のインピーダンス部、および、「前記第２の電力端子または前記第４の電力端子」と「前記第１の基準端子または前記第２の基準端子」との間に接続される第２のインピーダンス部、の少なくとも一方と、を備え、前記第１のインピーダンス部および前記第２のインピーダンス部は、前記交流電力の周波数以上前記情報信号のフレーム周波数以下に設定される所定周波数ｆにおける分岐のない前記２本一対の電力線の特性インピーダンスにほぼ等しく設定される抵抗Ｒと、１／（２πｆＲ）より大きな値を有するコンデンサＣと、を直列に接続して構成されることを技術的特徴とする。ここで、「フレーム周波数」とは、所定ビット（例えば８ビット）の集まりを１単位とするフレームの繰り返し周波数のことをいう。なお、この所定ビットを構成する１ビット分の繰り返し周波数のことを「チップレート」または「チップ周波数」という。
【００１２】
特許請求の範囲に記載の請求項２のインピーダンスアダプタでは、請求項１記載のインピーダンスアダプタにおいて、前記抵抗Ｒおよび前記コンデンサＣが直列に接続される前記第１のインピーダンス部および前記第２のインピーダンス部は、前記コンデンサＣに接続されていない抵抗Ｒ側の一端が「前記第１の基準端子または前記第２の基準端子」に接続され、また前記抵抗Ｒに接続されていないコンデンサＣ側の他端が「前記第１の電力端子もしくは前記第３の電力端子」または「前記第２の電力端子もしくは前記第４の電力端子」に接続されることを技術的特徴とする。
【００１３】
上記目的を達成するため、特許請求の範囲に記載の請求項３の終端装置では、交流電力を供給可能な２本一対の電力線およびこれらの電力線に対し基準電位を与える基準電位線を有する電力ケーブルで情報信号を伝送する媒体として機能可能な電力ケーブルに接続される終端装置であって、前記電力線の一方に接続可能な第１の電力端子と、前記電力線の他方に接続可能な第２の電力端子と、前記基準電位線に接続可能な基準端子と、前記第１の電力端子と前記基準端子との間に接続される第１のインピーダンス部、および、前記第２の電力端子と前記基準端子との間に接続される第２のインピーダンス部、の少なくとも一方と、を備え、前記第１のインピーダンス部および前記第２のインピーダンス部は、前記交流電力の周波数以上前記情報信号のフレーム周波数以下に設定される所定周波数ｆにおける分岐のない前記２本一対の電力線の特性インピーダンスにほぼ等しく設定される抵抗Ｒと、１／（２πｆＲ）より大きな値を有するコンデンサＣと、を直列に接続して構成されることを技術的特徴とする。
【００１４】
特許請求の範囲に記載の請求項４の終端装置では、請求項３記載の終端装置において、直列に接続される前記抵抗Ｒおよび前記コンデンサＣは、その抵抗Ｒ側の一端が前記第１の基準端子に接続され、またそのコンデンサＣ側の他端が前記第１の電力端子または前記第２の電力端子に接続されることを技術的特徴とする。
【発明の効果】
【００１５】
請求項１の発明では、「第１の電力端子または第３の電力端子」と「第１の基準端子または第２の基準端子」との間に接続される第１のインピーダンス部、および、「第２の電力端子または第４の電力端子」と「第１の基準端子または第２の基準端子」との間に接続される第２のインピーダンス部、の少なくとも一方と、を備える。そして、第１のインピーダンス部および第２のインピーダンス部は、交流電力の周波数以上情報信号のフレーム周波数以下に設定される所定周波数ｆにおける分岐のない２本一対の電力線の特性インピーダンスにほぼ等しく設定される抵抗Ｒと、１／（２πｆＲ）より大きな値を有するコンデンサＣと、を直列に接続して構成される。
【００１６】
これにより、第１のインピーダンス部および第２のインピーダンス部は、Ｒ＋１／ｊωＣ（ω＝２πｆ、但しコンデンサＣのコンダクタンスｇ＝０）により表されるインピーダンスＺを有する。このため、周波数ｆが例えば交流電力の周波数程度に比較的低い場合には、（１／ｊωＣ）が大きくなるので、このような交流電力の周波数においては抵抗Ｒに対してインピーダンスＺは高インピーダンスになる。したがって、抵抗Ｒによる短絡を防ぐことができる。これに対し、周波数ｆが、例えば情報信号のフレーム周波数程度に比較的高い場合には、インピーダンスＺの（１／ｊωＣ）が小さくなるため、このような周波数成分に対してインピーダンスＺは電力線の特性インピーダンスにほぼ等しく設定される抵抗Ｒにほぼ等しくなる。このため、情報信号の周波数においてはインピーダンス整合をとることができる。
【００１７】
したがって、所定周波数ｆにおける分岐のない２本一対の電力線の特性インピーダンスがわかれば、それに基づいて簡易に構成可能な第１のインピーダンス部や第２のインピーダンス部をコンセント等の電力線の分岐先に接続することで、このような第１、第２のインピーダンス部をもったインピーダンスアダプタが接続されていない場合、つまりコンセント等の電力線の分岐先が開放状態にある場合に比べて、当該電力線のインピーダンスをほぼ一定に保つことができるので（図４(B),(D)、図５(B),(D)、図６(B),(D) ）、分岐等があっても情報信号の波形歪みを低減できる（図９(A)〜(C)、図１０(A)〜(C)）。よって、電力線の長さや分岐等の配線態様にかかわらず情報信号の波形歪みの変動を簡易に抑制することができる。
【００１８】
また、請求項２の発明のように、第１のインピーダンス部および第２のインピーダンス部は、コンデンサＣに接続されていない抵抗Ｒ側の一端が「第１の基準端子または第２の基準端子」に接続され、また抵抗Ｒに接続されていないコンデンサＣ側の他端が「第１の電力端子もしくは第３の電力端子」または「第２の電力端子もしくは第４の電力端子」に接続される。
【００１９】
請求項３の発明では、第１の電力端子と基準端子との間に接続される第１のインピーダンス部、および、第２の電力端子と基準端子との間に接続される第２のインピーダンス部、の少なくとも一方と、を備える。そして、第１のインピーダンス部および第２のインピーダンス部は、交流電力の周波数以上情報信号のフレーム周波数以下に設定される所定周波数ｆにおける分岐のない２本一対の電力線の特性インピーダンスにほぼ等しく設定される抵抗Ｒと、１／（２πｆＲ）より大きな値を有するコンデンサＣと、を直列に接続して構成される。
【００２０】
これにより、第１のインピーダンス部および第２のインピーダンス部は、Ｒ＋１／ｊωＣ（ω＝２πｆ、但しコンデンサＣのコンダクタンスｇ＝０）により表されるインピーダンスＺを有する。このため、周波数ｆが例えば交流電力の周波数程度に比較的低い場合には、（１／ｊωＣ）が大きくなるので、このような交流電力の周波数においては抵抗Ｒに対してインピーダンスＺは高インピーダンスになる。したがって、抵抗Ｒによる短絡を防ぐことができる。これに対し、周波数ｆが、例えば情報信号のフレーム周波数程度に比較的高い場合には、インピーダンスＺの（１／ｊωＣ）が小さくなるため、このような周波数成分に対してインピーダンスＺは電力線の特性インピーダンスにほぼ等しく設定される抵抗Ｒにほぼ等しくなる。このため、情報信号の周波数においてはインピーダンス整合をとることができる。
【００２１】
したがって、所定周波数ｆにおける分岐のない２本一対の電力線の特性インピーダンスがわかれば、それに基づいて簡易に構成可能な第１のインピーダンス部や第２のインピーダンス部を電力線の終端に接続することで、このような第１、第２のインピーダンス部をもったインピーダンスアダプタが接続されていない場合、つまり電力線の終端が開放状態にある場合に比べて、当該電力線のインピーダンスをほぼ一定に保つことができるので（図１９(A)〜(C)、図２２(A)〜(C)、図２５(A)〜(C)）、分岐等があっても情報信号の波形歪みを低減できる（図３１(B)、図３２(B)、図３３(B)、図３５(B)、図３６(B)、図３７(B)）。よって、電力線の長さや分岐等の配線態様にかかわらず情報信号の波形歪みの変動を簡易に抑制することができる。
【００２２】
また、請求項４の発明のように、抵抗ＲおよびコンデンサＣは、その抵抗Ｒ側の一端が第１の基準端子に接続され、またそのコンデンサＣ側の他端が第１の電力端子または第２の電力端子に接続される。
【発明を実施するための最良の形態】
【００２３】
以下、本発明のインピーダンスアダプタおよび終端装置の実施形態について図を参照して説明する。まずは、本発明のインピーダンスアダプタの実施形態を第１実施形態として説明し、その後に、本発明の終端装置の実施形態を第２実施形態として説明する。
【００２４】
［第１実施形態］
本発明のインピーダンスアダプタに係る第１実施形態を図１〜図１４に基づいて説明する。まず、本第１実施形態に係るインピーダンスアダプタ２０の構成を図１および図２を参照して説明する。
【００２５】
図１に示すように、インピーダンスアダプタ２０は、交流電力を供給可能な２本一対の電力線Ｌ，Ｎおよびこれらの電力線Ｌ，Ｎに対しアース電位（基準電位）を与えるアース線Ｇを有する電力ケーブル１００と、この電力ケーブル１００を伝送媒体にして情報信号ＩＳを送信または受信するＰＬＣ装置７０と、の間で、電力線Ｌ，Ｎから受電する電力をＰＬＣ装置７０に供給可能かつ、ＰＬＣ装置７０から送信される情報信号ＩＳを電力ケーブル１００に伝送可能もしくは電力ケーブル１００から受信する情報信号ＩＳをＰＬＣ装置７０に伝送可能に介在するもので、具体的には図２に示すように構成される。なお、電力線Ｌはライン（ホット）側を、また電力線Ｎはニュートラル（コールド）側を、それぞれ意味する。また、ＰＬＣ装置７０は、情報信号ＩＳを送受信可能な通信装置で、例えば、スペクトル拡散変調したベースバンド波形を商用周波数の電力信号に重畳する通信方式のものがこれに該当する。
【００２６】
即ち、図１(A) に示すように、インピーダンスアダプタ２０は、電力線Ｌに接続可能な電力端子Ｌ１と、電力線Ｎに接続可能な電力端子Ｎ１と、電力端子Ｌ１に接続されＰＬＣ装置７０に電力の供給および情報信号ＩＳの送信または受信を可能な電力端子Ｌ２と、電力端子Ｎ１に接続されＰＬＣ装置７０に電力の供給および情報信号ＩＳの送信または受信を可能な電力端子Ｎ２と、アース線Ｇに接続可能なアース端子Ｇ１と、アース端子Ｇ１に接続されてＰＬＣ装置７０にアース電位を付与可能なアース端子Ｇ２と、「電力端子Ｌ１，Ｌ２とアース端子Ｇ１，Ｇ２との間に接続されるインピーダンス部Ｚ１」および「電力端子Ｎ１，Ｎ２とアース端子Ｇ１，Ｇ２との間に接続されるインピーダンス部Ｚ２」の少なくとも一方と、から構成されている。
【００２７】
インピーダンス部Ｚ１，Ｚ２は、いずれも抵抗およびコンデンサを直列に接続して構成されるインピーダンス要素で、例えば、図２(A) に示すように、インピーダンス部Ｚ１として、コンデンサＣ１に接続されていない抵抗Ｒ１側の一端がアース端子Ｇ１，Ｇ２に接続され、また抵抗Ｒ１に接続されていないコンデンサＣ１側の他端が電力端子Ｌ１，Ｌ２に接続されている。また、インピーダンス部Ｚ２として、コンデンサＣ２に接続されていない抵抗Ｒ２側の一端がアース端子Ｇ１，Ｇ２に接続され、また抵抗Ｒ２に接続されていないコンデンサＣ２側の他端が電力端子Ｎ１，Ｎ２に接続されている。
【００２８】
これとは逆に、例えば、図２(B) に示すように、コンデンサＣ１に接続されていない抵抗Ｒ１側の一端が電力端子Ｌ１，Ｌ２に接続され、また抵抗Ｒ１に接続されていないコンデンサＣ１側の他端がアース端子Ｇ１，Ｇ２に接続されるように、またインピーダンス部Ｚ２として、コンデンサＣ２に接続されていない抵抗Ｒ２側の一端が電力端子Ｎ１，Ｎ２に接続され、また抵抗Ｒ２に接続されていないコンデンサＣ２側の他端がアース端子Ｇ１，Ｇ２に接続されるように、インピーダンス部Ｚ１を構成しても良い。
【００２９】
インピーダンス部Ｚ１，Ｚ２を構成する抵抗Ｒ１，Ｒ２は、電力ケーブル１００を構成する電力線Ｌ，Ｎの特性インピーダンスにほぼ等しくなるように設定される。この特性インピーダンスは、分岐や短絡させることなく２本一対の状態にある電力線Ｌ，Ｎを、情報信号ＩＳの使用する周波数範囲内にある所定周波数ｆにおいて測定したものである。
【００３０】
例えば、交流電力の周波数が６０Hz、情報信号ＩＳのフレーム周波数が２５０ｋHz（チップレート＝２ＭHz／８ビット）であれば、所定周波数ｆは６０Hz≦ｆ≦２５０ｋHzの範囲になるので、最高周波数２５０ｋHzの１／１００程度の２．５ｋHzを当該所定周波数ｆに設定する。そして、一般的な屋内配線用のキャブタイヤーケーブルを電力ケーブル１００に選択すると、当該ｆ＝２．５ｋHzにおいてキャブタイヤーケーブルの特性インピーダンスは８２Ω〜８３Ωになり、後述する測定系１〜１０では、抵抗Ｒ１，Ｒ２として、８２Ω，１Ｗの金属被膜抵抗を使用している。使用する抵抗は、特性インピーダンスに近い入手可能な抵抗値のものを使用することが可能である。
【００３１】
なお、最高周波数２５０ｋHzの１／１００程度としたのは、図２(A) および図２(B) に示すように、インピーダンス部Ｚ１，Ｚ２は、高域通過フィルタ（ＨＰＦ）相当の働きをし、また当該所定周波数ｆはその遮断周波数に相当するので、情報信号ＩＳのフレーム周波数（２５０ｋHz）が十分に通過できるようにするためである。
【００３２】
また、インピーダンス部Ｚ１，Ｚ２を構成するコンデンサＣ１，Ｃ２は、このような抵抗Ｒ１，Ｒ２＝８２Ω〜８３Ωや前述の所定周波数ｆ＝２．５ｋHzを次式(1) に代入して値を決定している。
【００３３】
Ｃ  ＝  １／（２πｆＲ）    ・・・  (1)
ここで、ＲはＲ１，Ｒ２の値（単位はΩ）である。
【００３４】
これにより、コンデンサＣの値は、０．７８μＦ（＝１／（２π×２５００×８２））となるが、これも入手の容易さから、後述する測定系１〜１０では、１μＦ（耐圧６３０Ｖ）のコンデンサを使用している。なお、このコンデンサの値は、１／（２πｆＲ）より大きな値であるので、その値は、ｆが交流電力の周波数（例えば５０Hz）をとるときに最大値となる。
【００３５】
なお、図１(B) に示すインピーダンスアダプタ２０’のように、このように構成されるインピーダンス部Ｚ１を、電力端子Ｌ１，Ｌ２とアース端子Ｇ１，Ｇ２との間にのみ接続し、電力端子Ｎ１，Ｎ２とアース端子Ｇ１，Ｇ２との間にはインピーダンス部Ｚ２を接続しないように構成しても良い。これにより、インピーダンス部の一方を必要としないので、回路構成を簡易にすることや、部品点数を削減することができる。
【００３６】
また、図１(C) に示すように、電力線Ｎとアース線Ｇとにより情報信号ＩＳが送信されてきたり、電力線Ｎとアース線Ｇとにより情報信号ＩＳを送出する場合には、同図に示すインピーダンスアダプタ２０”のように、インピーダンス部Ｚ２を、電力端子Ｎ１，Ｎ２とアース端子Ｇ１，Ｇ２との間にのみ接続し、電力端子Ｌ１，Ｌ２とアース端子Ｇ１，Ｇ２との間にはインピーダンス部Ｚ１を接続しないように構成しても良い。これによってもインピーダンス部の一方を必要としないので、回路構成を簡易にすることや、部品点数を削減することができる。
【００３７】
なお、上述した例では、抵抗Ｒ１，Ｒ２として、キャブタイヤーケーブルの特性インピーダンスにほぼ等しい値に設定したが、例えば、インピーダンスＺは、Ｚ＝Ｒ＋１／ｊωＣで与えられ、Ｉ＝Ｖ／Ｚ＝ｊωＣＶ／（１＋ｊωＣＲ）から、Ｐ＝Ｒ｜Ｉ｜２＝ω２Ｃ２ＲＶ２／（１＋ω２Ｃ２Ｒ２）であり、ω＝２π×６０（交流電力の周波数が６０Hzの場合）、Ｖ＝１００であるので、次式(2) から抵抗Ｒ（Ｒ１，Ｒ２の値（単位はΩ））を決定しても良い。ここで、Ｐは電力（Ｗ）、Ｖは電圧（Ｖ）である。
【００３８】
Ｐ＞ω２Ｃ２ＲＶ２／（１＋ω２Ｃ２Ｒ２）    ・・・  (2)
【００３９】
＜測定系１＞
次に、本第１実施形態に係るインピーダンスアダプタ２０の技術的な効果を確認し得る測定系１の構成および接続を図３を参照して説明する。図３に示す測定系１は、一端にプラグ１０１、他端にコンセント１０２ｎを取り付けた、長さ１５０ｍのキャブタイヤーケーブルをベースに構成されており、電力ケーブル１００における位相やインピーダンス特性を測定する。
【００４０】
この測定系１の場合には、プラグ１０１を基点Ｏとして当該基点Ｏから５ｍ間隔にコンセントが設けられており、図３では、そのうちの基点Ｏから７５ｍ離れたコンセント１０２ａ以降、各コンセントに符号１０２ｂ、１０２ｃ、…１０２ｎを付して図示している。なお、これら各コンセント１０２ｂ等は、電力ケーブル１００から分岐する電源ケーブル等の接続部に相当する。
【００４１】
また、当該測定系１では、長さ１ｍ程度の電源ケーブル１０５，１０６がコンセント１０２ａ等に接続されており（電源ケーブル１０５，１０６の一端側）、この電源ケーブル１０５，１０６の他端側にはインピーダンスアダプタ２０が接続されている。そして、このインピーダンスアダプタ２０の電力端子Ｌ２，Ｇ２には、このようなキャブタイヤーケーブル等の位相特性やインピーダンス特性を測定可能に、インピーダンスアナライザ１５０の測定ケーブル１５０ａの測定プローブ（図略）が接続されている。
【００４２】
なお、このインピーダンスアナライザ１５０は、その機能として、１０ｋHz〜１００ＭHzの範囲でスイープする送信信号を送信しその反射を受信して得た位相特性やインピーダンス特性を観測可能に構成されている。このため、図４(A) 〜図４(D) 、図５(A) 〜図５(D) および図６(A) 〜図６(D) に示すインピーダンスアナライザ１５０の画面の上段は、いずれも位相特性が現れ、またこれらの画面の下段には、いずれもインピーダンス特性が現れている。
【００４３】
このように構成した測定系１による測定結果を図４〜図６を参照して説明する。
まず、図４(A) に示す位相・インピーダンス特性は、基点Ｏから７５ｍのコンセント１０２ａに接続された電源ケーブル１０５の先端（電力線の分岐先）を開放、つまりインピーダンスアダプタ２０を電源ケーブル１０５に接続することなく（インピーダンスアダプタ２０を介在させることなく）、直接、電源ケーブル１０５にインピーダンスアナライザ１５０を接続した場合の電力線Ｌの位相特性やインピーダンス特性である。なお、このとき、電源ケーブル１０６の先端はインピーダンスアダプタ２０を接続することなく、開放状態に設定されている。
【００４４】
このように基点Ｏから７５ｍ離れたコンセント１０２ａに開放状態の電源ケーブル１０５を接続すると、分岐先が開放端になるため、反射等が生じて位相・インピーダンス特性の変動が激しく悪化していることがわかる。
【００４５】
同様に、図４(C) に示す位相・インピーダンス特性も、基点Ｏから離隔した距離が５ｍ程度異なるものの、８０ｍ離れたコンセント１０２ａに接続された電源ケーブル１０６の分岐先が開放状態にある場合の電力線Ｌの位相特性やインピーダンス特性である。このため、図４(A) と同様に位相・インピーダンス特性が悪化していることがわかる。
【００４６】
これに対し、図４(B) や図４(D) に示す位相・インピーダンス特性は、基点Ｏから７５ｍのコンセント１０２ａにおいて分岐先を終端、つまり電源ケーブル１０５の先端にインピーダンスアダプタ２０を接続して（インピーダンスアダプタ２０を介在させて）、当該インピーダンスアダプタ２０にインピーダンスアナライザ１５０を接続した場合のものである。これらによると、分岐先開放状態の図４(A) や図４(C) に示す位相・インピーダンス特性に比べて改善していることが確認でき、特にインピーダンス特性は平坦化の傾向が見られる。
【００４７】
同様に、図５(B) や図５(D) に示す電力線Ｌの位相・インピーダンス特性は、分岐先開放状態の図５(A) や図５(C) に示す位相・インピーダンス特性に比べて改善していることが確認できる。また、図６(B) や図６(D) に示す電力線Ｌの位相・インピーダンス特性は、分岐先開放状態の図６(A) や図６(C) に示す位相・インピーダンス特性に比べて改善しており、インピーダンス特性はほぼ平坦化している。
【００４８】
このように測定系１による位相やインピーダンス特性の測定では、インピーダンスアダプタ２０を電源ケーブル１０５の先端（電力線の分岐先）に接続することで、電力ケーブル１００に設けられるコンセント１０２ｂ等の位置にかかわらず、電力線Ｌのインピーダンスを安定化できることが確認された。なお、この測定系１では、２本ある電力線Ｌ，Ｎのうち、ライン（ホット）側の電力線Ｌについて確認したが、ニュートラル（コールド）側の電力線Ｎについても同様にインピーダンスを安定化できる。
【００４９】
＜測定系２＞
続いて、本第１実施形態に係るインピーダンスアダプタ２０の技術的な効果を確認し得る測定系２の構成および接続を図７を参照して説明する。この測定系２は、電力ケーブル１００により伝送される情報信号ＩＳの波形歪みの状態を送信波形と受信波形とを比較することにより視覚的に把握可能にするもので、既に説明した測定系１（図３参照）と構成等が近似している。このため、測定系１と構成等が異なるところを説明し、同じ構成部分や接続部分については測定系１と同一の符号を付して説明を省略する。
【００５０】
図７に示すように、測定系２では、コンセント１０２ａに信号発生装置１１０を接続して電力ケーブル１００の電力線Ｌおよびアース線Ｇに、情報信号ＩＳを入力（送信）可能に接続している。また、オシロスコープ１２０の測定プローブ（チャネル１（以下「ＣＨ１」という））を、測定ケーブル１２０ａを介して信号発生装置１１０に電源周波数の影響を受けないように接続することで、このように送信された情報信号ＩＳの波形をオシロスコープ１２０の画面（ＣＨ１）で観測可能に構成している。
【００５１】
また、当該測定系２では、信号発生装置１１０から送信されてきた情報信号ＩＳを、受信可能に、インピーダンスアダプタ２０をそれぞれのコンセント１０２ｂ，１０２ｃ，１０２ｄ等に順番に接続可能に構成している。さらに、オシロスコープ１２０の測定プローブ（チャネル２（以下「ＣＨ２」という））を測定ケーブル１２０ｂを介して、電源周波数の影響を受けないように接続することで、受信された情報信号ＩＳの波形をオシロスコープ１２０の画面（ＣＨ２）で観測可能に構成している。
【００５２】
このように構成した測定系２による測定結果を図８〜図１０を参照して説明する。なお、図８には、測定系２の各コンセントをすべて開放にした状態（分岐先開放、最遠端開放）において、基点Ｏから７５ｍ離れたコンセントに入力（送信）される情報信号ＩＳの波形例（図８(A),図８(B),図８(C)の各上段：ＩＳ−Ｔ）、それを基点Ｏから８０ｍ、１００ｍ、１４５ｍ離れたコンセントにより分岐させて出力（受信）される情報信号ＩＳの波形例（図８(A),図８(B),図８(C)の各下段：ＩＳ−Ｒ）が示されており、また、図９には、測定系２の所定のコンセントにインピーダンスアダプタを接続しその他のコンセントを開放にした状態（分岐先終端、最遠端開放）において、基点Ｏから７５ｍ離れたコンセントに入力（送信）される情報信号ＩＳの波形例（図９(A),図９(B),図９(C)の各上段：ＩＳ−Ｔ）、それを基点Ｏから８０ｍ、１００ｍ、１４５ｍ離れたコンセントにより分岐させて出力（受信）される情報信号ＩＳの波形例（図９(A),図９(B),図９(C)の各下段：ＩＳ−Ｒ）が示されている。さらに、図１０には、測定系２の所定のコンセントにインピーダンスアダプタを接続するとともに最遠端のコンセントに終端装置を接続した状態（分岐先終端、最遠端終端）において、基点Ｏから７５ｍ離れたコンセントに入力（送信）される情報信号ＩＳの波形例（図１０(A),図１０(B),図１０(C)の各上段：ＩＳ−Ｔ）、それを基点Ｏから８０ｍ、１００ｍ、１４５ｍ離れたコンセントにより分岐させて出力（受信）される情報信号ＩＳの波形例（図１０(A),図１０(B),図１０(C)の各下段：ＩＳ−Ｒ）が示されている。
【００５３】
まず、図８(A) の下段（ＣＨ２）には、基点Ｏから８０ｍ離れたコンセント１０２ｂに接続された電源ケーブル１０６にインピーダンスアダプタ２０を接続することなく開放にし、さらに最遠端に位置するコンセント１０２ｎに後述する終端装置５０を接続することなく開放にした場合、つまり何ら対策をすることなくコンセント１０２ｂから情報信号ＩＳを受信した場合の受信波形ＩＳ−Ｒが現れている。また、図８(B) の下段（ＣＨ２）には、図８(A) と同様の構成で基点Ｏからの距離を１００ｍに設定したコンセントから情報信号ＩＳを受信した場合の受信波形ＩＳ−Ｒが現れており、さらに図８(C) の下段（ＣＨ２）には、図８(A) と同様の構成で基点Ｏからの距離を１４５ｍに設定したコンセントから情報信号ＩＳを受信した場合の受信波形ＩＳ−Ｒが現れている。これらの受信波形ＩＳ−Ｒを比較すると、それぞれの波形歪みにかなりのばらつきがあることが確認できる。
【００５４】
これに対し、図９(A) の下段（ＣＨ２）には、基点Ｏから８０ｍ離れたコンセント１０２ｂに電源ケーブル１０６を介してインピーダンスアダプタ２０を接続し、最遠端に位置するコンセント１０２ｎに後述する終端装置５０を接続することなく開放にした場合、つまり分岐先にインピーダンスアダプタ２０を接続する対策を施したコンセント１０２ｂから情報信号ＩＳを受信した場合の受信波形ＩＳ−Ｒが現れている。また、図９(B) の下段（ＣＨ２）には、図９(A) と同様の構成で基点Ｏからの距離を１００ｍに設定したコンセントから情報信号ＩＳを受信した場合の受信波形ＩＳ−Ｒが現れており、さらに図９(C) の下段（ＣＨ２）には、図９(A) と同様の構成で基点Ｏからの距離を１４５ｍに設定したコンセントから情報信号ＩＳを受信した場合の受信波形ＩＳ−Ｒが現れている。これらの受信波形ＩＳ−Ｒを比較すると、それぞれほぼ同等に波形が歪んでいることが確認できる。なおこれらの場合には、図８(A)〜図８(C) の場合に比べて、波形の歪み自体も抑制されていることがわかる。またいずれも、反射により欠落した周波数成分が復元されていることを確認することができる。
【００５５】
また、図１０(A) の下段（ＣＨ２）には、電源ケーブル１０６の先端にインピーダンスアダプタ２０を接続して、さらに最遠端に位置するコンセント１０２ｎに後述する終端装置５０を接続した場合、つまり分岐先にインピーダンスアダプタ２０を接続しかつ最遠端にも終端装置５０を接続する対策を施した構成で、コンセント１０２ｂから情報信号ＩＳを受信した場合の受信波形ＩＳ−Ｒが現れている。また、図１０(B) の下段（ＣＨ２）には、図１０(A) と同様の構成で基点Ｏからの距離を１００ｍに設定したコンセントから情報信号ＩＳを受信した場合の受信波形ＩＳ−Ｒが現れており、さらに図１０(C) の下段（ＣＨ２）には、図１０(A) と同様の構成で基点Ｏからの距離を１４５ｍに設定したコンセントから情報信号ＩＳを受信した場合の受信波形ＩＳ−Ｒが現れている。これらの受信波形ＩＳ−Ｒを比較してもそれぞれほぼ同等に波形が歪んでいることが確認できる。なおこれらの場合には、図８(A)〜図８(C) の場合に比べて、さらに波形歪みが抑制されていることがわかる。またいずれも、反射により欠落した周波数成分が復元されていることを確認することができる。
【００５６】
このように測定系２では、電力ケーブル１００に接続される電源ケーブル１０６の先端（電力線の分岐先）にインピーダンスアダプタ２０を接続することで、電力ケーブル１００に設けられるコンセント１０２ｂ等の位置にかかわらず、当該電力ケーブル１００に伝送される情報信号ＩＳの波形歪みをほぼ同様に抑制したりその変動を抑制できることが確認された。また、反射により欠落した周波数成分を復元できることも確認された。なお、この測定系２では、２本ある電力線Ｌ，Ｎのうち、ライン（ホット）側の電力線Ｌについて確認したが、ニュートラル（コールド）側の電力線Ｎについても同様に情報信号ＩＳの波形歪みの変動を抑制でき、また反射により欠落した周波数成分を復元できる。
【００５７】
＜測定系３＞
次に、本第１実施形態に係るインピーダンスアダプタ２０の技術的な効果を確認し得る測定系３の構成および接続を図１１を参照して説明する。この測定系３も、前述した測定系２と同様に、電力ケーブル１００により伝送される情報信号ＩＳの波形歪みの状態を送信波形と受信波形とを比較することにより視覚的に把握可能にするもので、既に説明した測定系２（図７参照）と構成等が近似している。このため、測定系２と構成等が同じ部分については測定系２と同一の符号を付して説明を省略する。
【００５８】
図１１に示すように、測定系３では、基点Ｏから１０ｍ離れたコンセント１０２ｂに信号発生装置１１０を接続して電力ケーブル１００の電力線Ｌおよびアース線Ｇに、情報信号ＩＳを入力（送信）可能に接続している。また、オシロスコープ１２０の測定プローブ（ＣＨ１）を測定ケーブル１２０ａを介して信号発生装置１１０の出力端子に接続することで、このように送信された情報信号ＩＳの波形をオシロスコープ１２０の画面（ＣＨ１）で観測可能に構成している。
【００５９】
また、当該測定系３では、信号発生装置１１０から送信されてきた情報信号ＩＳを、受信可能に、インピーダンスアダプタ２０をそれぞれのコンセント１０２ｃ，１０２ｄ等に順番に接続可能に構成している。さらに、オシロスコープ１２０の測定プローブ（ＣＨ２）を測定ケーブル１２０ｂを介してインピーダンスアダプタ２０の電力端子Ｌ２，Ｇ２に接続することで、受信された情報信号ＩＳの波形をオシロスコープ１２０の画面（ＣＨ２）で観測可能に構成している。
【００６０】
このように構成した測定系３による測定結果を図１２〜図１４を参照して説明する。なお、図１２には、測定系３の各コンセントをすべて開放にした状態（分岐先開放、最遠端開放）において、基点Ｏから１０ｍ離れたコンセントに入力（送信）される情報信号ＩＳの波形例（図１２(A),図１２(B),図１２(C)の各上段：ＩＳ−Ｔ）、それを基点Ｏから８０ｍ、１００ｍ、１４５ｍ離れたコンセントにより分岐させて出力（受信）される情報信号ＩＳの波形例（図１２(A),図１２(B),図１２(C)の各下段：ＩＳ−Ｒ）が示されており、また図１３には、測定系３の所定のコンセントにインピーダンスアダプタを接続しその他のコンセントを開放にした状態（分岐先終端、最遠端開放）において、基点Ｏから７５ｍ離れたコンセントに入力（送信）される情報信号ＩＳの波形例（図１３(A),図１３(B),図１３(C)の各上段：ＩＳ−Ｔ）、それを基点Ｏから８０ｍ、１００ｍ、１４５ｍ離れたコンセントにより分岐させて出力（受信）される情報信号ＩＳの波形例（図１３(A),図１３(B),図１３(C)の各下段：ＩＳ−Ｒ）が示されている。また、図１４には、測定系３の所定のコンセントにインピーダンスアダプタを接続するとともに最遠端のコンセントに終端装置を接続した状態（分岐先終端、最遠端終端）において、基点Ｏから７５ｍ離れたコンセントに入力（送信）される情報信号ＩＳの波形例（図１４(A),図１４(B),図１４(C)の各上段：ＩＳ−Ｔ）、それを基点Ｏから８０ｍ、１００ｍ、１４５ｍ離れたコンセントにより分岐させて出力（受信）される情報信号ＩＳの波形例（図１４(A),図１４(B),図１４(C)の各下段：ＩＳ−Ｒ）が示されている。
【００６１】
まず、図１２(A) の下段（ＣＨ２）には、基点Ｏから８０ｍ離れたコンセント１０２ｂにインピーダンスアダプタ２０を接続することなく開放にし、さらに最遠端に位置するコンセント１０２ｎに後述する終端装置５０を接続することなく開放にした場合、つまり何ら対策をすることなくコンセント１０２ｂから情報信号ＩＳを受信した場合の受信波形ＩＳ−Ｒが現れている。また、図１２(B) の下段（ＣＨ２）には、図１２(A) と同様の構成で基点Ｏからの距離を１００ｍに設定したコンセントから情報信号ＩＳを受信した場合の受信波形ＩＳ−Ｒが現れており、さらに図１２(C) の下段（ＣＨ２）には、図１２(A) と同様の構成で基点Ｏからの距離を１４５ｍに設定したコンセントから情報信号ＩＳを受信した場合の受信波形ＩＳ−Ｒが現れている。これらの受信波形ＩＳ−Ｒを比較すると、それぞれの波形歪みにかなりのばらつきがあることが確認できる。
【００６２】
これに対し、図１３(A) の下段（ＣＨ２）には、基点Ｏから８０ｍ離れたコンセント１０２ｄにインピーダンスアダプタ２０を接続し、最遠端に位置するコンセント１０２ｎに後述する終端装置５０を接続することなく開放にした場合、つまり分岐先にインピーダンスアダプタ２０を接続する対策を施したコンセント１０２ｂから情報信号ＩＳを受信した場合の受信波形ＩＳ−Ｒが現れている。また、図１３(B) の下段（ＣＨ２）には、図１３(A) と同様の構成で基点Ｏからの距離を１００ｍに設定したコンセントから情報信号ＩＳを受信した場合の受信波形ＩＳ−Ｒが現れており、さらに図１３(C) の下段（ＣＨ２）には、図１３(A) と同様の構成で基点Ｏからの距離を１４５ｍに設定したコンセントから情報信号ＩＳを受信した場合の受信波形ＩＳ−Ｒが現れている。これらの受信波形ＩＳ−Ｒを比較すると、それぞれほぼ同等に波形が歪んでいることが確認できる。なおこれらの場合には、図１２(A)〜図１２(C) の場合に比べて、波形の歪み自体も抑制されていることがわかる。またいずれも、反射により欠落した周波数成分が復元されていることを確認することができる。
【００６３】
また、図１４(A) の下段（ＣＨ２）には、基点Ｏから８０ｍ離れたコンセント１０２ｄにインピーダンスアダプタ２０を接続して、さらに最遠端に位置するコンセント１０２ｎに後述する終端装置５０を接続した場合、つまり分岐先のコンセントにインピーダンスアダプタ２０を接続しかつ最遠端にも終端装置５０を接続する対策を施した構成で、コンセント１０２ｂから情報信号ＩＳを受信した場合の受信波形ＩＳ−Ｒが現れている。また、図１４(B) の下段（ＣＨ２）には、図１４(A) と同様の構成で基点Ｏからの距離を１００ｍに設定したコンセントから情報信号ＩＳを受信した場合の受信波形ＩＳ−Ｒが現れており、さらに図１４(C) の下段（ＣＨ２）には、図１４(A) と同様の構成で基点Ｏからの距離を１４５ｍに設定したコンセントから情報信号ＩＳを受信した場合の受信波形ＩＳ−Ｒが現れている。これらの受信波形ＩＳ−Ｒを比較してもそれぞれほぼ同等に波形が歪んでいることが確認できる。なおこれらの場合には、図１２(A)〜図１２(C) の場合に比べて、さらに波形歪みが抑制されていることがわかる。またいずれも、反射により欠落した周波数成分が復元されていることを確認することができる。
【００６４】
このように測定系３では、基点Ｏから１０ｍ離れたコンセントに情報信号ＩＳを入力（送信）しても、基点Ｏから７５ｍ離れたコンセントに情報信号ＩＳを入力（送信）した場合（測定系２；図７、図９、図１０）とほぼ同様に、情報信号ＩＳを入力する位置や距離にかかわらず、当該電力ケーブル１００に伝送される情報信号ＩＳの波形歪みをほぼ同様に抑制したりその変動を抑制できることが確認された。また、反射により欠落した周波数成分を復元できることも確認された。なお、この測定系２では、２本ある電力線Ｌ，Ｎのうち、ライン（ホット）側の電力線Ｌについて確認したが、ニュートラル（コールド）側の電力線Ｎについても同様に情報信号ＩＳの波形歪みの変動を抑制でき、また反射により欠落した周波数成分を復元できる。
【００６５】
以上説明したように、本第１実施形態に係るインピーダンスアダプタ２０は、電力線Ｌに接続可能な電力端子Ｌ１と、電力線Ｎに接続可能な電力端子Ｎ１と、電力端子Ｌ１に接続されＰＬＣ装置７０に電力の供給および情報信号ＩＳの送信または受信を可能な電力端子Ｌ２と、電力端子Ｎ１に接続されＰＬＣ装置７０に電力の供給および情報信号ＩＳの送信または受信を可能な電力端子Ｎ２と、アース線Ｇに接続可能なアース端子Ｇ１と、アース端子Ｇ１に接続されてＰＬＣ装置７０にアース電位を付与可能なアース端子Ｇ２と、「電力端子Ｌ１，Ｌ２とアース端子Ｇ１，Ｇ２との間に接続されるインピーダンス部Ｚ１」および「電力端子Ｎ１，Ｎ２とアース端子Ｇ１，Ｇ２との間に接続されるインピーダンス部Ｚ２」の少なくとも一方と、から構成されている。
【００６６】
また、インピーダンス部Ｚ１，Ｚ２は、いずれも抵抗およびコンデンサを直列に接続して構成されるインピーダンス要素で、例えば、図２(A) に示すように、インピーダンス部Ｚ１として、コンデンサＣ１に接続されていない抵抗Ｒ１側の一端がアース端子Ｇ１，Ｇ２に接続され、また抵抗Ｒ１に接続されていないコンデンサＣ１側の他端が電力端子Ｌ１，Ｌ２に接続されている。また、インピーダンス部Ｚ２として、コンデンサＣ２に接続されていない抵抗Ｒ２側の一端がアース端子Ｇ１，Ｇ２に接続され、また抵抗Ｒ２に接続されていないコンデンサＣ２側の他端が電力端子Ｎ１，Ｎ２に接続されている。
【００６７】
そして、例えば、交流電力の周波数が６０Hz、情報信号ＩＳのフレーム周波数が２５０ｋHz（チップレート＝２ＭHz／８ビット）であれば、６０Hz≦ｆ≦２５０ｋHzの範囲での最高周波数２５０ｋHzの１／１００程度の２．５ｋHzを当該所定周波数ｆに設定する。これにより、当該所定周波数ｆにおける分岐のない２本一対の電力線の特性インピーダンスがわかれば、第１のインピーダンス部や第２のインピーダンス部を容易に構成することができ、上述したような各データに示されるように、電力線の長さや分岐等の配線態様にかかわらず情報信号の波形歪みの変動や波形歪み自体を簡易に抑制することができる。
【００６８】
［第２実施形態］
次に、本発明の終端装置に係る第２実施形態を図１５〜図４１に基づいて説明する。まず本第２実施形態に係る終端装置５０の構成を図１５および図１６を参照して説明する。
【００６９】
図１５に示すように、終端装置５０は、交流電力を供給可能な２本一対の電力線Ｌ，Ｎおよびこれらの電力線Ｌ，Ｎに対しアース電位（基準電位）を与えるアース線Ｇを有する電力ケーブルで情報信号ＩＳを伝送する媒体として機能可能な電力ケーブル１００に接続されるもので、具体的には図１５に示すように構成される。なお、前述した第１実施形態に係るインピーダンスアダプタ２０と実質的に同様に構成される部分については、同一符号を付して説明を省略する。
【００７０】
即ち、図１５(A) に示すように、終端装置５０は、電力線Ｌに接続可能な電力端子Ｌ１と、電力線Ｎに接続可能な電力端子Ｎ１と、アース線Ｇに接続可能なアース端子Ｇ１と、電力端子Ｌ１とアース端子Ｇ１との間に接続されるインピーダンス部Ｚ１および電力端子Ｎ１とアース端子Ｇ１との間に接続されるインピーダンス部Ｚ２の少なくとも一方と、から構成されている。
【００７１】
図１６(A) に示すように、インピーダンス部Ｚ１，Ｚ２は、いずれも抵抗およびコンデンサを直列に接続して構成されるインピーダンス要素で、電力端子Ｌ２、電力端子Ｎ２およびアース端子Ｇ２を備えていない点を除いて、前述したインピーダンスアダプタ２０のインピーダンス部Ｚ１，Ｚ２と同様に構成されている。また、図１６(B) に示すインピーダンス部Ｚ１，Ｚ２についても、図２(B) に示すインピーダンスアダプタ２０のインピーダンス部Ｚ１，Ｚ２と、電力端子Ｌ２、電力端子Ｎ２およびアース端子Ｇ２を備えていない点を除いて同様である。インピーダンス部Ｚ１，Ｚ２を構成する抵抗Ｒ１，Ｒ２やコンデンサＣ１，Ｃ２の値も、インピーダンスアダプタ２０のインピーダンス部Ｚ１，Ｚ２と同様に設定される。
【００７２】
＜測定系４＞
次に、本第２実施形態に係る終端装置５０の技術的な効果を確認し得る測定系４の構成および接続を図１７を参照して説明する。この測定系４は、電力ケーブル１００における位相やインピーダンス特性を測定するもので、前述した測定系３（図１１参照）と構成等が近似している。このため、測定系３と構成等が異なる処を説明し、同じ構成部分や接続部分については測定系３と同一の符号を付して説明を省略する。
【００７３】
図１７に示すように、測定系４では、基点Ｏから１０ｍ離れたコンセント１０２ｂに測定ケーブル１５０ａを介してインピーダンスアナライザ１５０が接続されている。なお、ここでは、当該インピーダンスアナライザ１５０は、位相特性やインピーダンス特性の測定範囲が１０ｋHz〜２０ＭHzの範囲に設定されている点を除いて測定系１（図３参照）のインピーダンスアナライザ１５０と同様に機能する。これにより、この測定系４では、電力ケーブル１００の最遠端、つまりコンセント１０２ｎに終端装置５０を接続した場合の効果を位相特性やインピーダンス特性の側面から確認する。
【００７４】
このように構成した測定系４による測定結果を図１８、図１９を参照して説明する。
なお、図１８には、測定系４の各コンセントをすべて開放にした状態（最遠端開放）において、基点Ｏから１０ｍ，５０ｍ，１００ｍ離れたコンセントに１０ｋHz〜２０ＭHzの範囲でスイープする送信信号を送信しその反射を受信して得た位相および特性インピーダンスを示す特性例が示されており、また図１９には、測定系４の最遠端のコンセントに終端装置を接続した状態（最遠端開放）において、基点Ｏから１０ｍ，５０ｍ，１００ｍ離れたコンセントに１０ｋHz〜２０ＭHzの範囲でスイープする送信信号を送信しその反射を受信して得た位相および特性インピーダンスを示す特性例が示されている。
【００７５】
まず、図１８(A) には、基点Ｏから１０ｍ離れたコンセント１０２ｂにインピーダンスアナライザ１５０を接続し、他のコンセントは、電力ケーブル１００の最遠端であるコンセント１０２ｎも含めてすべて開放にした場合の電力線Ｌの位相特性やインピーダンス特性が現れており、また図１８(B) には、図１８(A) と同様の構成で基点Ｏから５０ｍ離れたコンセントにインピーダンスアナライザ１５０を接続して測定した位相・インピーダンス特性が現れている。さらに図１８(C) には、図１８(A) と同様の構成で基点Ｏから１００ｍ離れたコンセントにインピーダンスアナライザ１５０を接続して測定した位相・インピーダンス特性が現れている。
【００７６】
これら図１８(A) 〜図１８(C) に示されるインピーダンス特性から、電力ケーブル１００のコンセントを開放にした場合には、コンセントの位置や伝送される信号周波数によって位相・インピーダンス特性が激しく変動していることがわかる。
【００７７】
これに対し、図１９(A) 〜図１９(C) に示すように、電力ケーブル１００の最遠端であるコンセント１０２ｎを終端装置５０によって終端した場合には、基点Ｏから１０ｍ（図１９(A) ）、５０ｍ（図１９(B) ）、１００ｍ（図１９(C) ）のいずれにおいても、図１８(A) 〜図１８(C) に示される最遠端開放の場合に比べて、位相特性、インピーダンス特性ともに比較的安定し平坦化の傾向が確認される。
【００７８】
このように測定系４による位相やインピーダンス特性の測定では、終端装置５０を電力ケーブル１００の最遠端に接続することで、電力ケーブル１００に設けられるコンセント１０２ｂ等の位置にかかわらず、電力線Ｌのインピーダンスを安定化できることが確認された。なお、この測定系４では、２本ある電力線Ｌ，Ｎのうち、ライン（ホット）側の電力線Ｌについて確認したが、ニュートラル（コールド）側の電力線Ｎについても同様にインピーダンスを安定化できる。
【００７９】
＜測定系５＞
続いて、本第２実施形態に係る終端装置５０の技術的な効果を確認し得る測定系５の構成および接続を図２０を参照して説明する。この測定系５も、電力ケーブル１００における位相やインピーダンス特性を測定するもので、前述した測定系４（図１７参照）の最遠端のコンセント１０２ｎに接続されていた終端装置５０に加えて、最近端のコンセント１０２ａにも終端装置５０を接続した構成になる。このため、測定系４と同じ構成部分や接続部分については同一の符号を付して構成の説明を省略する。
【００８０】
このような測定系５による測定結果を図２１、図２２を参照して説明する。
なお、図２１には、測定系５の各コンセントをすべて開放にした状態（両端開放）において、基点Ｏから１０ｍ，５０ｍ，１００ｍ離れたコンセントに１０ｋHz〜２０ＭHzの範囲でスイープする送信信号を送信しその反射を受信して得た位相およびインピーダンス特性を示す特性例が示されており、また図２２には、測定系５の基点Ｏから５ｍ離れたコンセントに終端装置を接続するとともに最遠端のコンセントに終端装置を接続した状態（両端終端）において、基点Ｏから１０ｍ，５０ｍ，１００ｍ離れたコンセントに１０ｋHz〜２０ＭHzの範囲でスイープする送信信号を送信しその反射を受信して得た位相およびインピーダンス特性を示す特性例が示されている。
【００８１】
まず、図２１(A) には、基点Ｏから１０ｍ離れたコンセント１０２ｂにインピーダンスアナライザ１５０を接続し、他のコンセントは、電力ケーブル１００の最遠端であるコンセント１０２ｎも含めてすべて開放にした場合の電力線Ｌの位相特性やインピーダンス特性が現れており、また図２１(B) には、図２１(A) と同様の構成で基点Ｏから５０ｍ離れたコンセントにインピーダンスアナライザ１５０を接続して測定した位相・インピーダンス特性が現れている。さらに図２１(C) には、図２１(A) と同様の構成で基点Ｏから１００ｍ離れたコンセントにインピーダンスアナライザ１５０を接続して測定した位相・インピーダンス特性が現れている。
【００８２】
これら図２１(A) 〜図２１(C) に示されるインピーダンス特性から、電力ケーブル１００のコンセントを開放にした場合には、コンセントの位置や伝送される信号周波数によって位相・インピーダンス特性が激しく変動していることがわかる。
【００８３】
これに対し、図２２(A) 〜図２２(C) に示すように、電力ケーブル１００の両端、つまりコンセント１０２ａ、１０２ｎをそれぞれ終端装置５０によって終端した場合には、基点Ｏから１０ｍ（図２２(A) ）、５０ｍ（図２２(B) ）、１００ｍ（図２２(C) ）のいずれにおいても、図２１(A) 〜図２１(C) に示される最遠端開放（両端開放）の場合に比べて、位相特性、インピーダンス特性ともに良好に安定しかつ平坦化の傾向が確認される。
【００８４】
このように測定系５による位相やインピーダンス特性の測定では、終端装置５０を電力ケーブル１００の両端（最遠端と最近端）に接続することで、電力ケーブル１００に設けられるコンセント１０２ｂ等の位置にかかわらず、電力線Ｌのインピーダンスを安定化できることが確認された。なお、この測定系５では、２本ある電力線Ｌ，Ｎのうち、ライン（ホット）側の電力線Ｌについて確認したが、ニュートラル（コールド）側の電力線Ｎについても同様にインピーダンスを安定化できる。
【００８５】
＜測定系６＞
続いて、本第２実施形態に係る終端装置５０の技術的な効果を確認し得る測定系６の構成および接続を図２３を参照して説明する。この測定系６も、電力ケーブル１００における位相やインピーダンス特性を測定するもので、電力ケーブル１００の途中において必要な範囲を両側から挟み込むように位置する終端装置５０を電力ケーブル１００に接続する、いわゆる途中終端の場合について測定するものである。このため、前述した測定系５（図２０参照）の両端終端の範囲を内側に狭めた構成となる。
【００８６】
図２３に示すように、測定系６では、基点Ｏから２０ｍ離れたコンセント１０２ａに近端側の途中終端として機能する終端装置５０を接続し、かつ、遠端から手前２０ｍ（基点Ｏから１３０ｍ）離れたコンセント１０２ｄに遠端側の途中終端として機能する終端装置５０を接続する。つまり、電力ケーブル１００の途中を両側から挟み込むように終端装置５０により終端する構成を採る。なお、ここでは、インピーダンスアナライザ１５０は、位相特性やインピーダンス特性の測定範囲が１０ｋHz〜１００ＭHzの範囲に設定されている点を除いて測定系５（図２０参照）のインピーダンスアナライザ１５０と同様に機能する。
【００８７】
このような測定系６による測定結果を図２４、図２５を参照して説明する。
なお、図２４には、測定系６の各コンセントをすべて開放にした状態（両端開放）において、基点Ｏから３０ｍ，７０ｍ，１１０ｍ離れたコンセントに１０ｋHz〜１００ＭHzの範囲でスイープする送信信号を送信しその反射を受信して得た位相およびインピーダンス特性を示す特性例が示されており、また図２５には、測定系６の基点Ｏから２０ｍ離れたコンセントに終端装置を接続するとともに最遠端から手前２０ｍ（基点Ｏから１３０ｍ離れた）コンセントに終端装置を接続した状態（途中終端）において、基点Ｏから３０ｍ，７０ｍ，１１０ｍ離れたコンセントに１０ｋHz〜１００ＭHzの範囲でスイープする送信信号を送信しその反射を受信して得た位相およびインピーダンス特性を示す特性例が示されている。
【００８８】
まず、図２４(A) には、基点Ｏから３０ｍ離れたコンセント１０２ｂにインピーダンスアナライザ１５０を接続し、他のコンセントは、電力ケーブル１００のコンセント１０２ａ、１０２ｎも含めてすべて開放にした場合の電力線Ｌの位相特性やインピーダンス特性が現れており、また図２４(B) には、図２４(A) と同様の構成で基点Ｏから７０ｍ離れたコンセントにインピーダンスアナライザ１５０を接続して測定した位相・インピーダンス特性が現れている。さらに図２４(C) には、図２４(A) と同様の構成で基点Ｏから１１０ｍ離れたコンセントにインピーダンスアナライザ１５０を接続して測定した位相・インピーダンス特性が現れている。
【００８９】
これら図２４(A) 〜図２４(C) に示されるインピーダンス特性から、電力ケーブル１００のコンセントを開放にした場合には、コンセントの位置や伝送される信号周波数によって位相・インピーダンス特性が激しく変動していることがわかる。なお、測定系４で説明した図１８(A) 〜図１８(C) に示されるインピーダンス特性や測定系５で説明した図２１(A) 〜図２１(C) に示されるインピーダンス特性よりも、変動が細かく見えるのは、測定系４、５ではインピーダンスアナライザ１５０によるスイープ幅が１０ｋHz〜２０ＭHzに設定されているのに対し、測定系６の場合にはインピーダンスアナライザ１５０によるスイープ幅が１０ｋHz〜１００ＭHzに設定されているからである。
【００９０】
これに対し、図２５(A) 〜図２５(C) に示すように、電力ケーブル１００の両端、つまりコンセント１０２ａ、１０２ｎをそれぞれ終端装置５０によって途中終端した場合には、基点Ｏから３０ｍ（図２５(A) ）、７０ｍ（図２５(B) ）、１１０ｍ（図２５(C) ）のいずれにおいても、図２４(A) 〜図２４(C) に示される両端開放の場合に比べて、位相特性、インピーダンス特性ともに良好に安定しかつ平坦化の傾向が確認される。
【００９１】
このように測定系６による位相やインピーダンス特性の測定では、電力ケーブル１００の途中において必要な範囲を両側から挟み込むように位置する終端装置５０を電力ケーブル１００に接続（途中終端）することで、当該電力ケーブル１００の両端（最近端と最遠端）を終端しなくても、コンセント１０２ｂ等の位置にかかわらず、電力線Ｌのインピーダンスを安定化できることが確認された。なお、この測定系５では、２本ある電力線Ｌ，Ｎのうち、ライン（ホット）側の電力線Ｌについて確認したが、ニュートラル（コールド）側の電力線Ｎについても同様にインピーダンスを安定化できる。
【００９２】
＜測定系７＞
次に、本第２実施形態に係る終端装置５０の技術的な効果を確認し得る測定系７の構成および接続を図２６を参照して説明する。この測定系７は、電力ケーブル１００により伝送される情報信号ＩＳの波形歪みの状態を送信波形と受信波形とを比較することにより視覚的に把握可能にするもので、前述した第１実施形態で説明した測定系３（図１１参照）と構成が近似しているので、異なるところを説明し、同じ構成部分や接続部分については同一の符号を付して説明を省略する。
【００９３】
図２６に示すように、測定系７では、基点Ｏから５ｍ離れたコンセント１０２ａに近端終端として機能する終端装置５０を接続する一方で、基点Ｏから１５０ｍ離れたコンセント１０２ｎには何も接続することなく開放端にしている点、および、受信側にはインピーダンスアダプタ２０の代わりに、交流電力の周波数成分（例えば６０Hz）を除去可能なフィルタ（例えばＨＰＦ）１１５をコンセント１０２ｄ等に接続している点が、第１実施形態の測定系３と異なる。これ以外の点、例えば、電力ケーブル１００はキャブタイヤーケーブルであり、全長が１５０ｍに設定されていること、コンセント１０２ｂから先は１０ｍ間隔にコンセント１０２ｃ、１０２ｄ等が取り付けられていること、送信波形ＩＳ−Ｔと受信波形ＩＳ−Ｒの観測には、オシロスコープ１２０を用いること等、第１実施形態の測定系３と同様に構成および接続されている。
【００９４】
このように構成した測定系７による測定結果を図２７〜図２９を参照して説明する。なお、図２７(A) には、両端開放、即ちコンセント１０２ａ〜１０２ｎに終端装置５０等を接続することなく開放にした状態において、図２６に示す基点Ｏから１０ｍ離れたコンセントに情報信号ＩＳを入力（送信）した場合の基点Ｏから１０ｍ離れたコンセントから出力（受信）した情報信号ＩＳの受信波形の例が示されており、また図２８(A) には、同様の構成で基点Ｏからの距離を５０ｍに設定したコンセントから情報信号ＩＳを受信した場合の受信波形ＩＳ−Ｒが示されている。さらに図２９(A) には、同様の構成で基点Ｏからの距離を１１０ｍに設定したコンセントから情報信号ＩＳを受信した場合の受信波形ＩＳ−Ｒが示されている。
【００９５】
また、図２７(B) には、近端終端、即ち基点Ｏから１０ｍ離れたコンセント１０２ａに終端５０を接続した状態において、図２６に示す基点Ｏから１０ｍ離れたコンセントに情報信号ＩＳを入力（送信）した場合の基点Ｏから１０ｍ離れたコンセントから出力（受信）した情報信号ＩＳの受信波形の例が示されており、また図２８(B) には、同様の近端終端において、基点Ｏからの距離を５０ｍに設定したコンセントから情報信号ＩＳを受信した場合の受信波形ＩＳ−Ｒが示されている。さらに図２９(B) には、同様の近端終端において、基点Ｏからの距離を１１０ｍに設定したコンセントから情報信号ＩＳを受信した場合の受信波形ＩＳ−Ｒが示されている。
【００９６】
まず、近端終端として機能する終端装置５０をコンセント１０２ａ（基点Ｏから５ｍ）に接続することなく両端を開放にした場合、つまり何ら対策をすることなくコンセント１０２ｂから情報信号ＩＳを受信した場合の受信波形ＩＳ−Ｒを見ると、図２７(A) の下段（ＣＨ２）、図２８(A) の下段（ＣＨ２）および図２９(A) の下段（ＣＨ２）に現れているように、受信波形ＩＳ−Ｒを受けるコンセントの位置（基点Ｏからの距離１０ｍ、５０ｍ、１１０ｍ）によって、それぞれ受信波形ＩＳ−Ｒは歪み具合（歪みの程度）にかなりのばらつきがある。
【００９７】
次いで、近端終端として機能する終端装置５０をコンセント１０２ａ（基点Ｏから５ｍ）に接続した場合の受信波形ＩＳ−Ｒを見ると、こちらも、図２７(B) の下段（ＣＨ２）、図２８(B) の下段（ＣＨ２）および図２９(B) の下段（ＣＨ２）に現れているように、受信波形ＩＳ−Ｒを受けるコンセントの位置（基点Ｏからの距離１０ｍ、５０ｍ、１１０ｍ）によって、それぞれ受信波形ＩＳ−Ｒは歪み具合（歪みの程度）にばらつきがある。なお、これらの各受信波形ＩＳ−Ｒの波形は、両端開放のものに比べていずれも歪みが抑制されていることから、波形歪みの抑制については終端装置５０を接続した場合に効果があることが確認される。
【００９８】
＜測定系８＞
続いて、本第２実施形態に係る終端装置５０の技術的な効果を確認し得る測定系８の構成および接続を図３０を参照して説明する。この測定系８も、電力ケーブル１００により伝送される情報信号ＩＳの波形歪みの状態を送信波形と受信波形とを比較することにより視覚的に把握可能にするもので、前述した測定系７（図２６参照）に対して、終端装置５０で終端する位置が異なるだけで、他の点については構成および接続ともに測定系７と同様である。
【００９９】
図３０に示すように、測定系８では、基点Ｏから１５０ｍ離れたコンセント１０２ｎに遠端終端として機能する終端装置５０を接続する一方で、基点Ｏから５ｍ離れたコンセント１０２ａには何も接続することなく開放端にしている点だけが、前述の測定系７と異なる。
【０１００】
このように構成した測定系８による測定結果を図３１〜図３３を参照して説明する。なお、図３１(A) には、両端開放、即ちコンセント１０２ａ〜１０２ｎに終端装置５０等を接続することなく開放にした状態において、図３０に示す基点Ｏから１０ｍ離れたコンセントに情報信号ＩＳを入力（送信）した場合の基点Ｏから１０ｍ離れたコンセントから出力（受信）した情報信号ＩＳの受信波形の例が示されており、また図３２(A) には、同様の構成で基点Ｏからの距離を５０ｍに設定したコンセントから情報信号ＩＳを受信した場合の受信波形ＩＳ−Ｒが示されている。さらに図３３(A) には、同様の構成で基点Ｏからの距離を１１０ｍに設定したコンセントから情報信号ＩＳを受信した場合の受信波形ＩＳ−Ｒが示されている。
【０１０１】
また、図３１(B) には、遠端終端、即ち基点Ｏから１５０ｍ離れたコンセント１０２ｎに終端５０を接続した状態において、図３０に示す基点Ｏから１０ｍ離れたコンセントに情報信号ＩＳを入力（送信）した場合の基点Ｏから１０ｍ離れたコンセントから出力（受信）した情報信号ＩＳの受信波形の例が示されており、また図３２(B) には、同様の遠端終端において、基点Ｏからの距離を５０ｍに設定したコンセントから情報信号ＩＳを受信した場合の受信波形ＩＳ−Ｒが示されている。さらに図３３(B) には、同様の遠端終端において、基点Ｏからの距離を１１０ｍに設定したコンセントから情報信号ＩＳを受信した場合の受信波形ＩＳ−Ｒが示されている。
【０１０２】
まず、遠端終端として機能する終端装置５０をコンセント１０２ｎ（基点Ｏから１５０ｍ）に接続することなく両端を開放にした場合、つまり何ら対策をすることなくコンセント１０２ｂから情報信号ＩＳを受信した場合の受信波形ＩＳ−Ｒを見ると、図３１(A) の下段（ＣＨ２）、図３２(A) の下段（ＣＨ２）および図３３(A) の下段（ＣＨ２）に現れているように、受信波形ＩＳ−Ｒを受けるコンセントの位置（基点Ｏからの距離１０ｍ、５０ｍ、１１０ｍ）によって、それぞれ受信波形ＩＳ−Ｒは歪み具合（歪みの程度）にかなりのばらつきがある。
【０１０３】
これに対して、遠端終端として機能する終端装置５０をコンセント１０２ｎ（基点Ｏから１５０ｍ）に接続した場合の受信波形ＩＳ−Ｒを見ると、こちらは、図３１(B) の下段（ＣＨ２）、図３２(B) の下段（ＣＨ２）および図３３(B) の下段（ＣＨ２）に現れているように、受信波形ＩＳ−Ｒを受けるコンセントの位置（基点Ｏからの距離１０ｍ、５０ｍ、１１０ｍ）にかかわらず、それぞれ受信波形ＩＳ−Ｒは歪み具合（歪みの程度）はほぼ同様であり、各波形が近似していることが確認される。
【０１０４】
これは、前述した測定系４による電力線のインピーダンス特性の測定結果からわかるように、終端装置５０による電力ケーブル１００の遠端終端によって、電力線Ｌのインピーダンスをほぼ一定に保つことが可能になったことから、基点Ｏからの距離、つまりコンセントの位置にかかわらず情報信号ＩＳの波形歪みの変動を抑制できていることに基づくものと考えられる。
【０１０５】
このように測定系８では、測定系４で測定した電力線Ｌのインピーダンスの安定化を、情報信号ＩＳの波形歪みの変動抑制という側面から確認し、これによって、電力線Ｌの長さや分岐等の配線態様にかかわらず情報信号ＩＳの波形歪みの変動を簡易に抑制できることが確認された。なお、この測定系８では、２本ある電力線Ｌ，Ｎのうち、ライン（ホット）側の電力線Ｌについて確認したが、ニュートラル（コールド）側の電力線Ｎについても同様に情報信号ＩＳの波形歪みの変動を簡易に抑制することができる。
【０１０６】
＜測定系９＞
さらに続いて、本第２実施形態に係る終端装置５０の技術的な効果を確認し得る測定系９の構成および接続を図３４を参照して説明する。この測定系９は、両端終端の場合について測定するものであるから、前述した測定系７（図２６参照）と測定系８（図３０）とを足し合わせた構成となる。なお、この測定系９も、電力ケーブル１００により伝送される情報信号ＩＳの波形歪みの状態を送信波形と受信波形とを比較することにより視覚的に把握可能にするものである。
【０１０７】
図３４に示すように、測定系９では、基点Ｏから５ｍ離れたコンセント１０２ａに近端側の終端として機能する終端装置５０を接続し、かつ、基点Ｏから１５０ｍ離れたコンセント１０２ｎに遠端側の終端として機能する終端装置５０を接続する。つまり、電力ケーブル１００の両端を終端装置５０により終端する。
【０１０８】
このように構成した測定系９による測定結果を図３５〜図３７を参照して説明する。なお、図３５(A) には、両端開放、即ちコンセント１０２ａ〜１０２ｎに終端装置５０等を接続することなく開放にした状態において、図３４に示す基点Ｏから１０ｍ離れたコンセントに情報信号ＩＳを入力（送信）した場合の基点Ｏから１０ｍ離れたコンセントから出力（受信）した情報信号ＩＳの受信波形の例が示されており、また図３６(A) には、同様の構成で基点Ｏからの距離を５０ｍに設定したコンセントから情報信号ＩＳを受信した場合の受信波形ＩＳ−Ｒが示されている。さらに図３７(A) には、同様の構成で基点Ｏからの距離を１１０ｍに設定したコンセントから情報信号ＩＳを受信した場合の受信波形ＩＳ−Ｒが示されている。
【０１０９】
また、図３５(B) には、両端終端、即ち基点Ｏから５ｍ離れたコンセント１０２ａに終端５０を接続（近端終端）しかつ基点Ｏから１５０ｍ離れたコンセント１０２ｎに終端５０を接続（遠端終端）した状態、つまり両端終端した状態において、図３４に示す基点Ｏから１０ｍ離れたコンセントに情報信号ＩＳを入力（送信）した場合の基点Ｏから１０ｍ離れたコンセントから出力（受信）した情報信号ＩＳの受信波形の例が示されており、また図３６(B) には、同様の遠端終端において、基点Ｏからの距離を５０ｍに設定したコンセントから情報信号ＩＳを受信した場合の受信波形ＩＳ−Ｒが示されている。さらに図３７(B) には、同様の遠端終端において、基点Ｏからの距離を１１０ｍに設定したコンセントから情報信号ＩＳを受信した場合の受信波形ＩＳ−Ｒが示されている。
【０１１０】
まず、近端終端や遠端終端として機能する終端装置５０をコンセント１０２ａ，１０２ｎに接続することなく両端を開放にした場合、つまり何ら対策をすることなくコンセント１０２ｂから情報信号ＩＳを受信した場合の受信波形ＩＳ−Ｒを見ると、図３５(A) の下段（ＣＨ２）、図３６(A) の下段（ＣＨ２）および図３７(A) の下段（ＣＨ２）に現れているように、受信波形ＩＳ−Ｒを受けるコンセントの位置（基点Ｏからの距離１０ｍ、５０ｍ、１１０ｍ）によって、それぞれ受信波形ＩＳ−Ｒは歪み具合（歪みの程度）にかなりのばらつきがある。
【０１１１】
これに対して、近端終端や遠端終端として、つまり両端終端として機能する終端装置５０をコンセント１０２ａ，１０２ｎに接続した場合の受信波形ＩＳ−Ｒを見ると、こちらは、図３５(B) の下段（ＣＨ２）、図３６(B) の下段（ＣＨ２）および図３７(B) の下段（ＣＨ２）に現れているように、受信波形ＩＳ−Ｒを受けるコンセントの位置（基点Ｏからの距離１０ｍ、５０ｍ、１１０ｍ）にかかわらず、それぞれ受信波形ＩＳ−Ｒは歪み具合（歪みの程度）はほぼ同様であり、各波形が近似していることが確認される。
【０１１２】
これは、前述した測定系５による電力線のインピーダンス特性の測定結果からわかるように、終端装置５０による電力ケーブル１００の両端終端によって、電力線Ｌのインピーダンスをほぼ一定に保つことが可能になったことから、基点Ｏからの距離、つまりコンセントの位置にかかわらず情報信号ＩＳの波形歪みの変動を抑制できていることに基づくものと考えられる。
【０１１３】
このように測定系９では、測定系５で測定した電力線Ｌのインピーダンスの安定化を、情報信号ＩＳの波形歪みの変動抑制という側面から確認し、これによって、電力線Ｌの長さや分岐等の配線態様にかかわらず情報信号ＩＳの波形歪みの変動を簡易に抑制できることが確認された。なお、この測定系９では、２本ある電力線Ｌ，Ｎのうち、ライン（ホット）側の電力線Ｌについて確認したが、ニュートラル（コールド）側の電力線Ｎについても同様に情報信号ＩＳの波形歪みの変動を簡易に抑制することができる。
【０１１４】
＜測定系１０＞
続いて、本第２実施形態に係る終端装置５０の技術的な効果を確認し得る測定系１０の構成および接続を図３８を参照して説明する。この測定系１０は、途中終端、即ち、電力ケーブル１００の途中において必要な範囲を両側から挟み込むように位置する終端装置５０を電力ケーブル１００に接続する場合について測定するものであるから、前述した測定系９（図３４参照）の両端終端の範囲を内側に狭めた構成となる。なお、この測定系９も、電力ケーブル１００により伝送される情報信号ＩＳの波形歪みの状態を送信波形と受信波形とを比較することにより視覚的に把握可能にするものである。
【０１１５】
図３８に示すように、測定系１０では、基点Ｏから２０ｍ離れたコンセント１０２ａに近端側の途中終端として機能する終端装置５０を接続し、かつ、基点Ｏから１３０ｍ離れたコンセント１０２ｄに遠端側の途中終端として機能する終端装置５０を接続する。つまり、電力ケーブル１００の途中を両側から挟み込むように終端装置５０により終端する。
【０１１６】
このように構成した測定系１０による測定結果を図３９〜図４１を参照して説明する。なお、図３９(A) には、両端開放、即ちコンセント１０２ａ〜１０２ｎに終端装置５０等を接続することなく開放にした状態において、図３８に示す基点Ｏから１０ｍ離れたコンセントに情報信号ＩＳを入力（送信）した場合の基点Ｏから１０ｍ離れたコンセントから出力（受信）した情報信号ＩＳの受信波形の例が示されており、また図４０(A) には、同様の構成で基点Ｏからの距離を５０ｍに設定したコンセントから情報信号ＩＳを受信した場合の受信波形ＩＳ−Ｒが示されている。さらに図４１(A) には、同様の構成で基点Ｏからの距離を１１０ｍに設定したコンセントから情報信号ＩＳを受信した場合の受信波形ＩＳ−Ｒが示されている。
【０１１７】
また、図３９(B) には、途中終端、即ち基点Ｏから２０ｍ離れたコンセント１０２ａに終端５０を接続（近端側の終端）しかつ基点Ｏから１３０ｍ離れたコンセント１０２ｄに終端５０を接続（遠端側の終端）した状態において、図３８に示す基点Ｏから１０ｍ離れたコンセントに情報信号ＩＳを入力（送信）した場合の基点Ｏから１０ｍ離れたコンセントから出力（受信）した情報信号ＩＳの受信波形の例が示されており、また図４０(B) には、同様の遠端終端において、基点Ｏからの距離を５０ｍに設定したコンセントから情報信号ＩＳを受信した場合の受信波形ＩＳ−Ｒが示されている。さらに図４１(B) には、同様の遠端終端において、基点Ｏからの距離を１１０ｍに設定したコンセントから情報信号ＩＳを受信した場合の受信波形ＩＳ−Ｒが示されている。
【０１１８】
まず、近端側の終端や遠端側の終端、つまり途中終端として機能する終端装置５０をコンセント１０２ａ，１０２ｄに接続することなく両端を開放にした場合、つまり何ら対策をすることなくコンセント１０２ｂから情報信号ＩＳを受信した場合の受信波形ＩＳ−Ｒを見ると、図３９(A) の下段（ＣＨ２）、図４０(A) の下段（ＣＨ２）および図４１(A) の下段（ＣＨ２）に現れているように、受信波形ＩＳ−Ｒを受けるコンセントの位置（基点Ｏからの距離１０ｍ、５０ｍ、１１０ｍ）によって、それぞれ受信波形ＩＳ−Ｒは歪み具合（歪みの程度）にかなりのばらつきがある。
【０１１９】
これに対して、途中終端として機能する終端装置５０をコンセント１０２ａ，１０２ｄに接続した場合の受信波形ＩＳ−Ｒを見ると、こちらは、図３９(B) の下段（ＣＨ２）、図４０(B) の下段（ＣＨ２）および図４１(B) の下段（ＣＨ２）に現れているように、受信波形ＩＳ−Ｒを受けるコンセントの位置（基点Ｏからの距離１０ｍ、５０ｍ、１１０ｍ）にかかわらず、それぞれ受信波形ＩＳ−Ｒは歪み具合（歪みの程度）はほぼ同様であり、各波形が近似していることが確認される。
【０１２０】
これは、前述した測定系６による電力線のインピーダンス特性の測定結果からわかるように、終端装置５０による電力ケーブル１００の途中終端によって、電力線Ｌのインピーダンスをほぼ一定に保つことが可能になったことから、電力ケーブル１００のうち、終端装置５０により挟まれた範囲内であれば、基点Ｏからの距離、つまりコンセントの位置にかかわらず情報信号ＩＳの波形歪みの変動を抑制できていることに基づくものと考えられる。
【０１２１】
このように測定系１０では、測定系６で測定した電力線Ｌのインピーダンスの安定化を、情報信号ＩＳの波形歪みの変動抑制という側面から確認し、これによって、電力線Ｌの長さや分岐等の配線態様にかかわらず情報信号ＩＳの波形歪みの変動を簡易に抑制できることが確認された。なお、この測定系１０では、２本ある電力線Ｌ，Ｎのうち、ライン（ホット）側の電力線Ｌについて確認したが、ニュートラル（コールド）側の電力線Ｎについても同様に情報信号ＩＳの波形歪みの変動を簡易に抑制することができる。
【０１２２】
以上説明したように、本第２実施形態に係る終端装置５０は、電力線Ｌに接続可能な電力端子Ｌ１と、電力線Ｎに接続可能な電力端子Ｎ１と、アース線Ｇに接続可能なアース端子Ｇ１と、電力端子Ｌ１とアース端子Ｇ１との間に接続されるインピーダンス部Ｚ１および電力端子Ｎ１とアース端子Ｇ１との間に接続されるインピーダンス部Ｚ２の少なくとも一方と、から構成されている。
【０１２３】
また、インピーダンス部Ｚ１，Ｚ２は、いずれも抵抗およびコンデンサを直列に接続して構成されるインピーダンス要素で、例えば、図１６(A) に示すように、インピーダンス部Ｚ１として、コンデンサＣ１に接続されていない抵抗Ｒ１側の一端がアース端子Ｇ１，Ｇ２に接続され、また抵抗Ｒ１に接続されていないコンデンサＣ１側の他端が電力端子Ｌ１，Ｌ２に接続されている。また、インピーダンス部Ｚ２として、コンデンサＣ２に接続されていない抵抗Ｒ２側の一端がアース端子Ｇ１，Ｇ２に接続され、また抵抗Ｒ２に接続されていないコンデンサＣ２側の他端が電力端子Ｎ１，Ｎ２に接続されている。
【０１２４】
そして、例えば、交流電力の周波数が６０Hz、情報信号ＩＳのフレーム周波数が２５０ｋHz（チップレート＝２ＭHz／８ビット）であれば、６０Hz≦ｆ≦２５０ｋHzの範囲での最高周波数２５０ｋHzの１／１００程度の２．５ｋHzを当該所定周波数ｆに設定する。これにより、当該所定周波数ｆにおける分岐のない２本一対の電力線の特性インピーダンスがわかれば、第１のインピーダンス部や第２のインピーダンス部を容易に構成することができ、上述したような各データに示されるように、上述したような各データに示されるように、電力線の長さや分岐等の配線態様にかかわらず情報信号の波形歪みの変動や波形歪み自体を簡易に抑制することができる。
【０１２５】
なお、以上説明した各実施形態において、インピーダンス部Ｚ１，Ｚ２は、抵抗Ｒ１（Ｒ２）とコンデンサＣ１（Ｃ２）とによる直列回路を形成することにより実現したが、例えば、双対変換の理論を適用して抵抗ＲとインダクタＬとによる並列回路を形成することによりインピーダンス部Ｚ１やインピーダンス部Ｚ２を実現しても、上述した各作用・効果が得れる。
【０１２６】
また、上述したインピーダンスアダプタ２０や終端装置５０では、電力線Ｌとアース線Ｇとの間にインピーダンス部Ｚ１が接続され、また電力線Ｎとアース線Ｇとの間にインピーダンス部Ｚ２が接続されるように構成したが、例えば、情報信号ＩＳが電力線Ｌとアース線Ｇとの間にのみ入力される場合には、情報信号ＩＳが入力されない電力線Ｎとアース線Ｇとの間にはインピーダンス部Ｚ２（またはインピーダンス部Ｚ１）の接続を省略しても良い。このような構成の場合にも、電力線Ｌ，Ｎの双方にインピーダンス部Ｚ１，Ｚ２を接続した構成、つまり上述した各実施形態に係るインピーダンスアダプタ２０や終端装置５０とほぼ同様の作用・効果を得ることができる。
【０１２７】
なお、上述した各測定は、いずれも、周波数４００ｋHz〜３ＧHzの周波数帯域において８０dB以上減衰が可能な電磁シールドルーム内において行っている。
【図面の簡単な説明】
【０１２８】
【図１】本発明の第１実施形態に係るインピーダンスアダプタの構成例を示す説明図で、図１(A) はＬ−Ｇ間およびＮ−Ｇ間にインピーダンス部を接続した例、図１(B) はＬ−Ｇ間にインピーダンス部を接続した例、図１(C) はＮ−Ｇ間にインピーダンス部を接続した例、である。
【図２】本第１実施形態に係るインピーダンスアダプタを構成するインピーダンス部の回路図で、図２(A) は抵抗をＧ側に接続した例、図２(B) はコンデンサをＧ側に接続した例である。
【図３】本第１実施形態に係るインピーダンスアダプタの効果を確認する測定系１の構成および接続を示す説明図である。
【図４】図３に示す測定系１の基点Ｏから７５ｍ離れたコンセントに１０ｋHz〜１００ＭHzの範囲でスイープする送信信号を送信しその反射を受信して得た位相およびインピーダンス特性と、基点Ｏから８０ｍ離れたコンセントに１０ｋHz〜１００ＭHzの範囲でスイープする送信信号を送信しその反射を受信して得た位相およびインピーダンス特性と、を比較した例である。
【図５】図３に示す測定系１の基点Ｏから７５ｍ離れたコンセントに１０ｋHz〜１００ＭHzの範囲でスイープする送信信号を送信しその反射を受信して得た位相およびインピーダンス特性と、基点Ｏから１００ｍ離れたコンセントに１０ｋHz〜１００ＭHzの範囲でスイープする送信信号を送信しその反射を受信して得た位相およびインピーダンス特性と、を比較した例である。
【図６】図３に示す測定系１の基点Ｏから７５ｍ離れたコンセントに１０ｋHz〜１００ＭHzの範囲でスイープする送信信号を送信しその反射を受信して得た位相およびインピーダンス特性と、基点Ｏから１４５ｍ離れたコンセントに１０ｋHz〜１００ＭHzの範囲でスイープする送信信号を送信しその反射を受信して得た位相およびインピーダンス特性とを比較した例である。
【図７】本第１実施形態に係るインピーダンスアダプタの効果を確認する測定系２の構成および接続を示す説明図である。
【図８】図７に示す測定系２の各コンセントをすべて開放にした状態（分岐先開放、最遠端開放）において、基点Ｏから７５ｍ離れたコンセントに入力（送信）される情報信号の波形例（図８(A),図８(B),図８(C)の各上段：ＩＳ−Ｔ）、それを基点Ｏから８０ｍ、１００ｍ、１４５ｍ離れたコンセントにより分岐させて出力（受信）される情報信号の波形例（図８(A),図８(B),図８(C)の各下段：ＩＳ−Ｒ）である。
【図９】図７に示す測定系２の所定のコンセントにインピーダンスアダプタを接続しその他のコンセントを開放にした状態（分岐先終端、最遠端開放）において、基点Ｏから７５ｍ離れたコンセントに入力（送信）される情報信号の波形例（図９(A),図９(B),図９(C)の各上段：ＩＳ−Ｔ）、それを基点Ｏから８０ｍ、１００ｍ、１４５ｍ離れたコンセントにより分岐させて出力（受信）される情報信号の波形例（図９(A),図９(B),図９(C)の各下段：ＩＳ−Ｒ）である。
【図１０】図７に示す測定系２の所定のコンセントにインピーダンスアダプタを接続するとともに最遠端のコンセントに終端装置を接続した状態（分岐先終端、最遠端終端）において、基点Ｏから７５ｍ離れたコンセントに入力（送信）される情報信号の波形例（図１０(A),図１０(B),図１０(C)の各上段：ＩＳ−Ｔ）、それを基点Ｏから８０ｍ、１００ｍ、１４５ｍ離れたコンセントにより分岐させて出力（受信）される情報信号の波形例（図１０(A),図１０(B),図１０(C)の各下段：ＩＳ−Ｒ）である。
【図１１】本第１実施形態に係るインピーダンスアダプタの技術的な効果を確認する測定系３の構成および接続を示す説明図である。
【図１２】図１１に示す測定系３の各コンセントをすべて開放にした状態（分岐先開放、最遠端開放）において、基点Ｏから１０ｍ離れたコンセントに入力（送信）される情報信号の波形例（図１２(A),図１２(B),図１２(C)の各上段：ＩＳ−Ｔ）、それを基点Ｏから８０ｍ、１００ｍ、１４５ｍ離れたコンセントにより分岐させて出力（受信）される情報信号の波形例（図１２(A),図１２(B),図１２(C)の各下段：ＩＳ−Ｒ）である。
【図１３】図１１に示す測定系３の所定のコンセントにインピーダンスアダプタを接続しその他のコンセントを開放にした状態（分岐先終端、最遠端開放）において、基点Ｏから７５ｍ離れたコンセントに入力（送信）される情報信号の波形例（図１３(A),図１３(B),図１３(C)の各上段：ＩＳ−Ｔ）、それを基点Ｏから８０ｍ、１００ｍ、１４５ｍ離れたコンセントにより分岐させて出力（受信）される情報信号の波形例（図１３(A),図１３(B),図１３(C)の各下段：ＩＳ−Ｒ）である。
【図１４】図１１に示す測定系３の所定のコンセントにインピーダンスアダプタを接続するとともに最遠端のコンセントに終端装置を接続した状態（分岐先終端、最遠端終端）において、基点Ｏから７５ｍ離れたコンセントに入力（送信）される情報信号の波形例（図１４(A),図１４(B),図１４(C)の各上段：ＩＳ−Ｔ）、それを基点Ｏから８０ｍ、１００ｍ、１４５ｍ離れたコンセントにより分岐させて出力（受信）される情報信号の波形例（図１４(A),図１４(B),図１４(C)の各下段：ＩＳ−Ｒ）である。
【図１５】本発明の第２実施形態に係る終端装置の構成例を示す説明図で、図１５(A) はＬ−Ｇ間およびＮ−Ｇ間にインピーダンス部を接続した例、図１５(B) はＬ−Ｇ間にインピーダンス部を接続した例、図１５(C) はＮ−Ｇ間にインピーダンス部を接続した例、である。
【図１６】本第２実施形態に係る終端装置を構成するインピーダンス部の回路図で、図１６(A) は抵抗をＧ側に接続した例、図１６(B) はコンデンサをＧ側に接続した例である。
【図１７】本第２実施形態に係るインピーダンスアダプタの効果を確認する測定系４の構成および接続を示す説明図である。
【図１８】図１７に示す測定系４の各コンセントをすべて開放にした状態（最遠端開放）において、基点Ｏから１０ｍ，５０ｍ，１００ｍ離れたコンセントに１０ｋHz〜２０ＭHzの範囲でスイープする送信信号を送信しその反射を受信して得た位相およびインピーダンス特性を示す特性例である。
【図１９】図１７に示す測定系４の最遠端のコンセントに終端装置を接続した状態（最遠端開放）において、基点Ｏから１０ｍ，５０ｍ，１００ｍ離れたコンセントに１０ｋHz〜２０ＭHzの範囲でスイープする送信信号を送信しその反射を受信して得た位相およびインピーダンス特性を示す特性例である。
【図２０】本第２実施形態に係るインピーダンスアダプタの効果を確認する測定系５の構成および接続を示す説明図である。
【図２１】図２０に示す測定系５の各コンセントをすべて開放にした状態（両端開放）において、基点Ｏから１０ｍ，５０ｍ，１００ｍ離れたコンセントに１０ｋHz〜２０ＭHzの範囲でスイープする送信信号を送信しその反射を受信して得た位相およびインピーダンス特性を示す特性例である。
【図２２】図２０に示す測定系５の基点Ｏから５ｍ離れたコンセントに終端装置を接続するとともに最遠端のコンセントに終端装置を接続した状態（両端終端）において、基点Ｏから１０ｍ，５０ｍ，１００ｍ離れたコンセントに１０ｋHz〜２０ＭHzの範囲でスイープする送信信号を送信しその反射を受信して得た位相およびインピーダンス特性を示す特性例である。
【図２３】本第２実施形態に係るインピーダンスアダプタの効果を確認する測定系６の構成および接続を示す説明図である。
【図２４】図２３に示す測定系６の各コンセントをすべて開放にした状態（両端開放）において、基点Ｏから３０ｍ，７０ｍ，１１０ｍ離れたコンセントに１０ｋHz〜１００ＭHzの範囲でスイープする送信信号を送信しその反射を受信して得た位相およびインピーダンス特性を示す特性例である。
【図２５】図２３に示す測定系６の基点Ｏから２０ｍ離れたコンセントに終端装置を接続するとともに最遠端から手前２０ｍ（基点Ｏから１３０ｍ離れた）コンセントに終端装置を接続した状態（途中終端）において、基点Ｏから３０ｍ，７０ｍ，１１０ｍ離れたコンセントに１０ｋHz〜１００ＭHzの範囲でスイープする送信信号を送信しその反射を受信して得た位相およびインピーダンス特性を示す特性例である。
【図２６】本第２実施形態に係る終端装置の効果を確認する測定系７の構成および接続を示す説明図である。
【図２７】近端終端時において、図２６に示す基点Ｏから１０ｍ離れたコンセントに情報信号を入力（送信）した場合の基点Ｏから１０ｍ離れたコンセントから出力（受信）した情報信号の受信波形の例である。
【図２８】近端終端時において、図２６に示す基点Ｏから１０ｍ離れたコンセントに情報信号を入力（送信）した場合において、基点Ｏから５０ｍ離れたコンセントから出力（受信）した情報信号の受信波形の例である。
【図２９】近端終端時において、図２６に示す基点Ｏから１０ｍ離れたコンセントに情報信号を入力（送信）した場合において、基点Ｏから１１０ｍ離れたコンセントから出力（受信）した情報信号の受信波形の例である。
【図３０】本第２実施形態に係る終端装置の効果を確認する測定系８の構成および接続を示す説明図である。
【図３１】遠端終端時において、図３０に示す基点Ｏから１０ｍ離れたコンセントに情報信号を入力（送信）した場合において、基点Ｏから１０ｍ離れたコンセントから出力（受信）した情報信号の受信波形の例である。
【図３２】遠端終端時において、図３０に示す基点Ｏから１０ｍ離れたコンセントに情報信号を入力（送信）した場合において、基点Ｏから５０ｍ離れたコンセントから出力（受信）した情報信号の受信波形の例である。
【図３３】遠端終端時において、図３０に示す基点Ｏから１０ｍ離れたコンセントに情報信号を入力（送信）した場合において、基点Ｏから１１０ｍ離れたコンセントから出力（受信）した情報信号の受信波形の例である。
【図３４】本第２実施形態に係る終端装置の効果を確認する測定系９の構成および接続を示す説明図である。
【図３５】両端終端時において、図３４に示す基点Ｏから１０ｍ離れたコンセントに情報信号を入力（送信）した場合において、基点Ｏから１０ｍ離れたコンセントから出力（受信）した情報信号の受信波形の例である。
【図３６】両端終端時において、図３４に示す基点Ｏから１０ｍ離れたコンセントに情報信号を入力（送信）した場合において、基点Ｏから５０ｍ離れたコンセントから出力（受信）した情報信号の受信波形の例である。
【図３７】両端終端時において、図３４に示す基点Ｏから１０ｍ離れたコンセントに情報信号を入力（送信）した場合において、基点Ｏから１１０ｍ離れたコンセントから出力（受信）した情報信号の受信波形の例である。
【図３８】本第２実施形態に係る終端装置の効果を確認する測定系１０の構成および接続を示す説明図である。
【図３９】途中終端時において、図３８に示す基点Ｏから３０ｍ離れたコンセントに情報信号を入力（送信）した場合において、基点Ｏから３０ｍ離れたコンセントから出力（受信）した情報信号の受信波形の例である。
【図４０】途中終端時において、図３８に示す基点Ｏから３０ｍ離れたコンセントに情報信号を入力（送信）した場合において、基点Ｏから７０ｍ離れたコンセントから出力（受信）した情報信号の受信波形の例である。
【図４１】途中終端時において、図３８に示す基点Ｏから３０ｍ離れたコンセントに情報信号を入力（送信）した場合において、基点Ｏから１１０ｍ離れたコンセントから出力（受信）した情報信号の受信波形の例である。
【符号の説明】
【０１２９】
２０…インピーダンスアダプタ
５０…終端装置
７０…ＰＬＣ装置（電子装置）
１００…電力ケーブル
１０１…プラグ
１０２ａ、１０２ｂ、１０２ｃ、１０２ｄ、１０２ｎ…コンセント
１０５、１０６…電源ケーブル
１１０…信号発生装置
１１５…フィルタ
１２０…オシロスコープ
１５０…インピーダンスアナライザ
Ｃ１、Ｃ２…コンデンサ
Ｇ…アース線（基準電位線）
Ｇ１…アース端子（第１の基準端子）
Ｇ２…アース端子（第２の基準端子）
ＩＳ…情報信号
ＩＳ−Ｒ…受信波形
ＩＳ−Ｔ…送信波形
Ｌ、Ｎ…電力線
Ｌ１…電力端子（第１の電力端子）
Ｌ２…電力端子（第２の電力端子）
Ｎ１…電力端子（第３の電力端子）
Ｎ２…電力端子（第４の電力端子）
Ｒ１、Ｒ２…抵抗
Ｓｇ…情報信号源
Ｚ１、Ｚ２…インピーダンス部
【図１】
2008178058.tif 000003
【図２】
2008178058.tif 000004
【図３】
2008178058.tif 000005
【図４】
2008178058.tif 000006
【図５】
2008178058.tif 000007
【図６】
2008178058.tif 000008
【図７】
2008178058.tif 000009
【図８】
2008178058.tif 000010
【図９】
2008178058.tif 000011
【図１０】
2008178058.tif 000012
【図１１】
2008178058.tif 000013
【図１２】
2008178058.tif 000014
【図１３】
2008178058.tif 000015
【図１４】
2008178058.tif 000016
【図１５】
2008178058.tif 000017
【図１６】
2008178058.tif 000018
【図１７】
2008178058.tif 000019
【図１８】
2008178058.tif 000020
【図１９】
2008178058.tif 000021
【図２０】
2008178058.tif 000022
【図２１】
2008178058.tif 000023
【図２２】
2008178058.tif 000024
【図２３】
2008178058.tif 000025
【図２４】
2008178058.tif 000026
【図２５】
2008178058.tif 000027
【図２６】
2008178058.tif 000028
【図２７】
2008178058.tif 000029
【図２８】
2008178058.tif 000030
【図２９】
2008178058.tif 000031
【図３０】
2008178058.tif 000032
【図３１】
2008178058.tif 000033
【図３２】
2008178058.tif 000034
【図３３】
2008178058.tif 000035
【図３４】
2008178058.tif 000036
【図３５】
2008178058.tif 000037
【図３６】
2008178058.tif 000038
【図３７】
2008178058.tif 000039
【図３８】
2008178058.tif 000040
【図３９】
2008178058.tif 000041
【図４０】
2008178058.tif 000042
【図４１】
2008178058.tif 000043